(57)【要約】【課題】ＡＦキャリブレーション機能を備える撮像装置において、ユーザーが合焦画像を選択するときの選択ミスを抑制する。【解決手段】撮影レンズを交換可能な撮像装置において、撮影レンズによって結像された被写体像を撮像する撮像部と、撮影レンズの焦点位置を検出するための焦点検出部と、撮影レンズの焦点位置を所定量ずつ変化させるように制御しながら複数枚の画像を撮像部に撮像させるフォーカスブラケット撮影を行う撮影制御部と、フォーカスブラケット撮影により撮影された画像を表示する表示部と、フォーカスブラケット撮影を行う前に、焦点検出部により撮影レンズの焦点検出を行うために適した被写体を配置する第１の領域と、ユーザーが焦点の合った画像を判定するために適した被写体を配置する第２の領域とを示すガイドを表示部に表示させる表示制御部とを備える。【選択図】  図９
2019139017.tif 000002
【特許請求の範囲】
【請求項１】
撮影レンズを交換可能な撮像装置において、
前記撮影レンズによって結像された被写体像を撮像する撮像手段と、
前記撮影レンズの焦点位置を検出するための焦点検出手段と、
前記撮影レンズの焦点位置を所定量ずつ変化させるように制御しながら複数枚の画像を前記撮像手段に撮像させるフォーカスブラケット撮影を行う撮影制御手段と、
前記フォーカスブラケット撮影により撮影された画像を表示する表示手段と、
前記フォーカスブラケット撮影を行う前に、前記焦点検出手段により前記撮影レンズの焦点検出を行うために適した被写体を配置する第１の領域と、ユーザーが焦点の合った画像を判定するために適した被写体を配置する第２の領域とを示すガイドを前記表示手段に表示させる表示制御手段と、
を備えることを特徴とする撮像装置。
【請求項２】
前記ガイドは、前記第１の領域を示す第１の枠と、前記第２の領域を示す第２の枠とを含むことを特徴とする請求項１に記載の撮像装置。
【請求項３】
前記表示制御手段は、前記第１の領域に前記撮影レンズの焦点検出を行うために適した被写体を配置し、前記第２の領域に焦点の合った画像を判定するために適した被写体を配置するように、ユーザーが撮影の構図を決めることを促す表示をさらに行うことを特徴とする請求項１または２に記載の撮像装置。
【請求項４】
前記撮影レンズの焦点検出を行うために適した被写体とは、平面に近い形状で、コントラストの高い被写体であり、前記焦点の合った画像を判定するために適した被写体とは、奥行のある被写体であることを特徴とする請求項１乃至３のいずれか１項に記載の撮像装置。
【請求項５】
前記制御手段は、前記第２の領域の中に、前記第１の領域に配置される被写体と同じ距離にある被写体を配置する第３の領域を示すガイドを前記表示手段に表示させることを特徴とする請求項１乃至４のいずれか１項に記載の撮像装置。
【請求項６】
前記表示制御手段は、前記フォーカスブラケット撮影により撮影された画像を再生する場合に、前記第２の領域を拡大して前記表示手段に表示させることを特徴とする請求項１乃至５のいずれか１項に記載の撮像装置。
【請求項７】
前記表示制御手段は、前記第２の領域を、前記第２の領域以外の領域と表示を異ならせて表示することを特徴とする請求項１乃至６のいずれか１項に記載の撮像装置。
【請求項８】
ユーザーが前記第１の領域と前記第２の領域を移動あるいは変形させるための操作手段をさらに備えることを特徴とする請求項１乃至７のいずれか１項に記載の撮像装置。
【請求項９】
前記操作手段は、前記表示手段に設けられたタッチパネルであることを特徴とする請求項８に記載の撮像装置。
【請求項１０】
前記フォーカスブラケット撮影における露出を制御する露出制御手段をさらに備え、該露出制御手段は、前記第２の領域の測光結果に基づいて前記露出を決定することを特徴とする請求項１乃至９のいずれか１項に記載の撮像装置。
【請求項１１】
前記第１の領域を設定する第１の領域設定手段をさらに備えることを特徴とする請求項１乃至１０のいずれか１項に記載の撮像装置。
【請求項１２】
前記第１の領域設定手段は、基準となる焦点検出領域のデフォーカス量に対して、デフォーカス量が所定の範囲内である領域を前記第１の領域として設定することを特徴とする請求項１１に記載の撮像装置。
【請求項１３】
前記第１の領域設定手段は、前記デフォーカス量を検出した相関方向に対してほぼ直交する方向について、前記第１の領域の領域端を設定することを特徴とする請求項１１または１２に記載の撮像装置。
【請求項１４】
前記第２の領域を設定する第２の領域設定手段をさらに備えることを特徴とする請求項１乃至１３のいずれか１項に記載の撮像装置。
【請求項１５】
前記第２の領域設定手段は、基準となる焦点検出領域に対して、近側から遠側に分布する領域として前記第２の領域を設定することを特徴とする請求項１４に記載の撮像装置。
【請求項１６】
前記第２の領域設定手段は、基準となる焦点検出領域に対して、近側から遠側にほぼ均等に分布する領域として前記第２の領域を設定することを特徴とする請求項１５に記載の撮像装置。
【請求項１７】
前記第２の領域設定手段は、デフォーカス量を検出した相関方向に対してほぼ直交する方向について、前記第２の領域の領域端を設定することを特徴とする請求項１４乃至１６のいずれか１項に記載の撮像装置。
【請求項１８】
撮影レンズを交換可能であり、前記撮影レンズによって結像された被写体像を撮像する撮像手段と、前記撮影レンズの焦点位置を検出するための焦点検出手段と、を備える撮像装置を制御する方法であって、
前記撮影レンズの焦点位置を所定量ずつ変化させながら複数枚の画像を前記撮像手段に撮像させるフォーカスブラケット撮影を行う撮影制御工程と、
前記フォーカスブラケット撮影により撮影された画像を表示手段に表示する表示工程と、
前記フォーカスブラケット撮影を行う前に、前記焦点検出手段により前記撮影レンズの焦点検出を行うために適した被写体を配置する第１の領域と、ユーザーが焦点の合った画像を判定するために適した被写体を配置する第２の領域とを示すガイドを前記表示手段に表示させる表示制御工程と、
を有することを特徴とする撮像装置の制御方法。
【請求項１９】
請求項１８に記載の制御方法の各工程をコンピュータに実行させるためのプログラム。
【請求項２０】
請求項１８に記載の制御方法の各工程をコンピュータに実行させるためのプログラムを記憶したコンピュータが読み取り可能な記憶媒体。
【発明の詳細な説明】
【技術分野】
【０００１】
本発明は、撮像装置における自動焦点調節（ＡＦ）技術に関するものである。
【背景技術】
【０００２】
従来、撮影レンズを交換可能なカメラシステムでは、ＴＴＬ方式のＡＦ（オートフォーカス：自動焦点調節）方法が広く採用されている。このようなカメラシステムでは、撮影レンズの製造誤差によりピント位置にばらつきが生じるため、撮影レンズのピント位置とカメラ側ＡＦのピント位置が合わない場合がある。そのため、撮影レンズ毎にＡＦピント位置を調節（ＡＦキャリブレーション）する機能が搭載された撮像装置が従来から提供されている。
【０００３】
特許文献１には、このようなＡＦキャリブレーション機能を有する撮像装置が開示されている。具体的には、製造時に調整されたＡＦピント位置から前後に撮影レンズのフォーカス位置を微小量ずつずらしながら複数回の撮影（所謂フォーカスブラケット撮影）を行い、撮影された画像群から最もピントが合っている画像をユーザーに選択させる。そして、選択された画像と関連付けられたＡＦ補正量をカメラに記録する。
【０００４】
この種のＡＦ補正量の入力方法では、ユーザーが合焦画像を選択する精度がＡＦ補正量の精度に直結する。そのため、ユーザーが精度良く合焦画像を選択する方法として、例えば特許文献２では、ＡＦキャリブレーションモードにおける画像表示を、通常撮影モードでの画像表示とは異ならせる方法が提案されている。
【先行技術文献】
【特許文献】
【０００５】
【特許文献１】特許第４３７８１４１号公報
【特許文献２】特開２０１６−１４２８５３号公報
【発明の概要】
【発明が解決しようとする課題】
【０００６】
ここで、このようなＡＦキャリブレーションを行う場合、フォーカスブラケット撮影する被写体として好ましいのは、公知のＡＦ技術でデフォーカス量を算出するのに都合のよい被写体である。具体的には、撮影光軸に対して垂直（平面的）な平面であり、かつ明るさのコントラストが高い被写体である。
【０００７】
一方、ユーザーがフォーカスブラケット撮影された複数の画像から合焦画像を選択する場合を考えると、平面的な被写体では微妙なピントずれを画像から判断するのが難しい。画像からピントずれを確認するには、ＡＦを行う対象の被写体（上記の平面的な被写体）の近傍に前後に奥行きのある被写体が存在することが望ましい。しかしながら、フォーカスキャリブレーションのためのフォーカスブラケット撮影において、ユーザーが平面的な被写体と奥行きのある被写体を同じ画面内に撮影するとは限らない。そのため、合焦画像を選択する場合に選択ミスをする確率が高く、ＡＦキャリブレーションを正確に行えないことがあるという問題があった。
【０００８】
本発明は上述した課題に鑑みてなされたものであり、その目的は、ＡＦキャリブレーション機能を備える撮像装置において、ユーザーが合焦画像を選択するときの選択ミスを抑制することである。
【課題を解決するための手段】
【０００９】
本発明に係わる撮像装置は、撮影レンズを交換可能な撮像装置において、前記撮影レンズによって結像された被写体像を撮像する撮像手段と、前記撮影レンズの焦点位置を検出するための焦点検出手段と、前記撮影レンズの焦点位置を所定量ずつ変化させるように制御しながら複数枚の画像を前記撮像手段に撮像させるフォーカスブラケット撮影を行う撮影制御手段と、前記フォーカスブラケット撮影により撮影された画像を表示する表示手段と、前記フォーカスブラケット撮影を行う前に、前記焦点検出手段により前記撮影レンズの焦点検出を行うために適した被写体を配置する第１の領域と、ユーザーが焦点の合った画像を判定するために適した被写体を配置する第２の領域とを示すガイドを前記表示手段に表示させる表示制御手段と、を備えることを特徴とする。
【発明の効果】
【００１０】
本発明によれば、ＡＦキャリブレーション機能を備える撮像装置において、ユーザーが合焦画像を選択するときの選択ミスを抑制することが可能となる。
【図面の簡単な説明】
【００１１】
【図１】本発明の第１の実施形態の撮像装置の構成を示すブロック図。
【図２】第１の実施形態における撮像装置の動作シーケンスを示すフローチャート。
【図３】第１の実施形態における接眼レンズを通してユーザーが確認できる被写体像を示す図。
【図４】第１の実施形態における撮像装置の焦点検出領域選択シーケンスを示すフローチャート。
【図５】第１の実施形態における撮像装置の通常撮影シーケンスを示すフローチャート。
【図６】第１の実施形態における撮像装置の通常画像表示シーケンスを示すフローチャート。
【図７】第１の実施形態における撮像装置の通常画像表示シーケンスにおいて表示装置に表示される画像を示す図。
【図８】第１の実施形態における撮像装置のＡＦキャリブレーション撮影シーケンスを示すフローチャート。
【図９】第１の実施形態における撮像装置のＡＦキャリブレーション撮影前に表示装置に表示される画像を示す図。
【図１０】第１の実施形態における撮像装置のＡＦキャリブレーション画像選択シーケンスを示すフローチャート。
【図１１】第１の実施形態における撮像装置のＡＦキャリブレーション画像選択シーケンスにおいて表示装置に表示される画像を示す図。
【図１２】ＡＦキャリブレーション撮影に好適な、平面的な被写体と立体的な被写体の形態を示した図。
【図１３Ａ】第１の実施形態における撮像装置のＡＦキャリブレーション撮影を実施した結果得られる画像を示す図。
【図１３Ｂ】第１の実施形態における撮像装置のＡＦキャリブレーション撮影を実施した結果得られる画像を示す図。
【図１４】第２の実施形態における撮像装置のＡＦキャリブレーション画像選択シーケンスを示すフローチャート。
【図１５】第２の実施形態における撮像装置のＡＦキャリブレーション撮影を実施した結果得られる画像を示す図。
【図１６】第３の実施形態における撮像装置の構成を示すブロック図。
【図１７】第３の実施形態における撮像装置のＡＦキャリブレーション撮影シーケンスを示すフローチャート。
【図１８】第３の実施形態におけるＡＦキャリブレーション撮影前に表示装置に表示される画像を示す図。
【図１９】第４の実施形態におけるＡＦキャリブレーション撮影前に表示装置に表示される画像を示す図。
【図２０】第４の実施形態における撮像装置のＡＦキャリブレーション画像選択シーケンスを示すフローチャート。
【図２１】第５の実施形態における撮像装置のＡＦキャリブレーション撮影シーケンスを示すフローチャート。
【図２２】第６の実施形態における被写体像と被写体像内の焦点検出領域を示す図。
【図２３】第６の実施形態における被写体像から第１の被写体領域および第２の被写体領域を設定するシーケンスを示すフローチャート。
【図２４】第６の実施形態における焦点検出領域と基準焦点検出領域を示す図。
【図２５】第６の実施形態における第１の被写体領域の設定を示す図。
【図２６】第６の実施形態における第２の被写体領域の設定を示す図。
【図２７】第６の実施形態における第１の被写体領域を設定するシーケンスを示すフローチャート。
【図２８】第６の実施形態における第２の被写体領域を設定するシーケンスを示すフローチャート。
【図２９】第７の実施形態における被写体像から第１の被写体領域および第２の被写体領域を設定するシーケンスを示すフローチャート。
【図３０】第７の実施形態における撮像素子内に複数配設される焦点検出画素の基本構造を説明する図。
【発明を実施するための形態】
【００１２】
以下、本発明の実施形態について、添付図面を参照して詳細に説明する。
【００１３】
（第１の実施形態）
図１は、本発明の撮像装置の第１の実施形態であるカメラシステムの構成を示すブロック図である。図１では、カメラ（撮像装置本体）２００に、撮影レンズ１００が不図示のマウント部のレンズ装着機構を介して着脱可能に取り付けられた状態を示している。
【００１４】
まず、撮影レンズ１００の構成について説明する。マウント部には、電気接点ユニット１０８が設けられている。撮影レンズ１００とカメラ２００は電気接点ユニット１０８を介して通信を行う。フォーカスレンズ１０１は被写体像が結像する位置を調整する。なお、図１には、撮影レンズ１００内のレンズとしてフォーカスレンズ１０１のみを示しているが、この他に変倍レンズや固定レンズが設けられる。レンズ駆動機構１０３は、フォーカスレンズ１０１を駆動するためのステッピングモーターを備える。但し、ステッピングモーターに限られるものではなく、超音波モーターなどを用いてもよい。
【００１５】
絞り１０２は、被写体像の明るさを調整する。絞り１０２は通常開放状態であり、撮影時には被写体像が所望の露出を得られるよう、開口を狭めるよう駆動される。絞り駆動機構１０５は絞り１０２を駆動する。本実施形態では、電磁駆動アクチュエータが用いられているが、駆動方法はこれに限定されるものではない。
【００１６】
レンズ制御回路１０４は、レンズ駆動機構１０３の動作を制御する。絞り制御回路１０６は絞り駆動機構１０５の動作を制御する。レンズ制御回路１０４と絞り制御回路１０６は、前述の電気節点ユニット１０８を介してカメラ２００と電気的に接続され、カメラ２００全体の制御を行うシステムコントローラ２２３と通信を行う。また、レンズ情報メモリ１０７はレンズ１００の情報を記憶する記憶手段である。撮影レンズ１００の焦点距離、開放絞り値などの情報およびレンズＩＤ情報などが記憶されている。
【００１７】
次に、カメラ２００の構成について説明する。被写体からの光束（図１中の一点鎖線）は、撮影レンズ１００内のフォーカスレンズ１０１および絞り１０２を介して、カメラ２００内のクイックリターンミラー２０２に導かれる。クイックリターンミラー２０２は、撮影光路内に光軸に対して斜めに配置されて、被写体からの光束を上方のファインダー光学系に導く第１の位置（図示した位置）と、撮影光路外に退避する第２の位置とに移動が可能である。 
クイックリターンミラー２０２の中央部はハーフミラーになっており、クイックリターンミラー２０２が第１の位置にダウンしているときには、被写体からの光束の一部がハーフミラー部を透過する。そして、この透過した光束は、クイックリターンミラー２０２の背面側に設けられた全反射ミラーであるサブミラー２０３で反射され、ＡＦ（オートフォーカス）のための焦点検出を行うＡＦユニット２０４に導かれる。
【００１８】
ＡＦユニット２０４は、コンデンサレンズ、セパレータレンズ等の光学部品、光電変換素子であるＡＦセンサ、およびＡＦセンサを駆動するためのＡＦ回路を含んだユニットである。ＡＦユニット２０４は所謂二次結像位相差方式により焦点検出（デフォーカス量の算出）を行う。ＡＦユニット２０４で行われた焦点検出の結果はシステムコントローラ２２３へ送られ、撮影時の焦点調節制御に用いられる。ＡＦユニット２０４は、ＡＦセンサを用いて撮影画面内の複数の領域（焦点検出領域）のうち、ユーザー又は後述するシステムコントローラにより選択された焦点検出領域で撮影レンズ１００の焦点検出を行う。 
一方、クイックリターンミラー２０２で反射された光束は、フォーカシングスクリーン２０５に至る。フォーカシングスクリーン２０５は後述の撮像素子２１０と光学的に等価な位置に配置されており、被写体像が結像される。フォーカシングスクリーン２０５に結像された被写体像は、ペンタプリズム２０１、接眼レンズ２０６を通してユーザー（撮影者）の目に至る。ペンタプリズム２０１はフォーカシングスクリーン２０５上の被写体像を正立像としてユーザーが視認できるよう光束を折り返す役割を担う。また、接眼レンズ２０６は被写体像をユーザーが視認し易くなるよう拡大し、再結像させる。以上の構成により、所謂光学ファインダーが構成され、ユーザーは接眼レンズ２０６を通して撮影前に被写体像を確認することができる。フォーカシングスクリーン２０５とペンタプリズム２０１の間には、焦点検出領域や撮影条件を表示するためのファインダー内情報表示装置２０８も配置されている。本実施形態においては、ファインダー内情報表示装置２０８として、透過・遮光を電気的に切り替え可能なＰＮ液晶パネルを用いている。
【００１９】
ＡＥユニット２０７は、結像レンズ、絞り等の光学部品や、光電変換素子であるＡＥセンサ、およびＡＥセンサを駆動するためのＡＥ回路を含むユニットである。ＡＥユニット２０７はペンタプリズム２０１を介して被写体像を測光する。ＡＥユニット２０７で測光した結果はシステムコントローラ２２３へ送られ、撮影時の露出制御に用いられる。
【００２０】
クイックリターンミラー２０２が第２の位置にアップした際には、撮影レンズ１００からの光束は、機械シャッタであるフォーカルプレーンシャッタ２０９を介して撮像素子２１０に至る。なお、クイックリターンミラー２０２が第２の位置にアップしたときには、サブミラー２０３もクイックリターンミラー２０２に対して折り畳まれて撮影光路外に退避する。
【００２１】
撮像素子２１０は、ＣＣＤやＣＭＯＳセンサ等により代表されるイメージセンサである。本実施形態における撮像素子２１０は、静止画撮影の他、動画撮影機能も有する。フォーカルプレーンシャッタ２０９は、先幕および後幕を有して構成されており、撮影レンズ１００からの光束の透過および遮断を行う。先幕、後幕を駆動するタイミングを制御することにより、撮像素子２１０の露光時間を制御することが可能である。
【００２２】
本実施形態の撮像装置２００は、カメラシステム全体の制御を司るシステムコントローラ２２３を有する。システムコントローラ２２３は、ＣＰＵやＭＰＵ等により構成され、後述する各回路等の動作を制御する。
【００２３】
システムコントローラ２２３には、カメラシステム全体を制御する上で調整が必要なパラメータや、撮像装置２００の個体の識別を行うための固有の情報であるカメラＩＤ（識別）情報や、基準レンズ（カメラの出荷前調整時に用いられる撮影レンズ）を用いて調整された、撮影に関するパラメータの調整値等が記憶されたカメラ情報メモリ２２２も接続されている。本実施形態においては、カメラ情報メモリ２２２として、ＥＥＰＲＯＭ（不揮発性メモリ）が用いられる。カメラ情報メモリ２２２は、後述するＡＦキャリブレーションモードで設定されたＡＦ補正値を記憶する。
【００２４】
システムコントローラ２２３は、ミラー駆動回路２１１にも接続されている。ミラー駆動回路２１１は、システムコントローラ２２３の制御により、クイックリターンミラー２０２のアップダウン駆動を行う。システムコントローラ２２３は、シャッタ制御回路２１２にも接続されている。シャッタ制御回路２１２は、システムコントローラ２２３からの信号に応じて、フォーカルプレーンシャッタ２０９の先幕および後幕の走行駆動を制御する。また、フォーカルプレーンシャッタ２０９の先幕、後幕は、駆動源がバネにより構成されており、シャッタ走行後、次の動作のためにバネチャージを要する。シャッタ制御回路２１２は、このバネチャージ動作の制御も行う。
【００２５】
システムコントローラ２２３は、電気接点ユニット１０８を介して、撮影レンズ１００内のレンズ制御回路１０４及び絞り制御回路１０６と通信を行う。レンズ制御回路１０４は、システムコントローラ２２３からの信号に応じてレンズ駆動機構１０３を制御し、フォーカスレンズ１０１を光軸方向に駆動してピント合わせを行う。絞り制御回路１０６は、システムコントローラ２２３からの信号に応じて、絞り１０２を駆動する絞り駆動機構１０５を制御する。
【００２６】
システムコントローラ２２３は、撮影レンズ１００が装着されたときの初期通信により、レンズ情報メモリ１０７と通信する。システムコントローラ２２３はレンズ情報メモリ１０７に記憶された情報をカメラ情報メモリ２２２に記憶させる。
【００２７】
システムコントローラ２２３には、画像データコントローラ２２０が接続されている。この画像データコントローラ２２０は、ＤＳＰ（デジタル信号プロセッサ）により構成される補正データサンプル回路および補正回路であり、撮像素子２１０から入力された画像データの補正や加工などをシステムコントローラ２２３の指令に基いて実行する。
【００２８】
画像データコントローラ２２０には、タイミングパルス発生回路２１７、Ａ／Ｄコンバータ２１６、ＤＲＡＭ２２１、Ｄ／Ａコンバータ２１５および画像圧縮回路２１９が接続されている。タイミングパルス発生回路２１７は、撮像素子２１０を駆動する際に必要なパルス信号を出力する。Ａ／Ｄコンバータ２１６は、撮像素子２１０と共にタイミングパルス発生回路２１７で発生されたタイミングパルスを受けて、撮像素子２１０から出力される被写体像に対応したアナログ信号をデジタル信号に変換する。ＤＲＡＭ２２１は、得られた画像データ（加工や所定のフォーマットへのデータ変換が行われる前のデジタルデータとしての画像データ）を一時的に記憶する。
【００２９】
Ｄ／Ａコンバータ２１５には、エンコーダ回路２１４を介して表示装置２１３が接続されている。さらに、画像圧縮回路２１９には、画像データ記録メディア２１８が接続されている。表示装置２１３は、撮像素子２１０で撮像された画像データを表示するための装置であり、本実施形態においては、カラー表示可能な液晶パネル、バックライト、およびそれらを駆動するための表示制御回路を含むユニットである。
【００３０】
画像データコントローラ２２０は、ＤＲＡＭ２２１上の画像データを、Ｄ／Ａコンバータ２１５によりアナログ信号に変換してエンコーダ回路２１４へ出力する。エンコーダ回路２１４はこのＤ／Ａコンバータ２１５の出力を、表示装置２１３を駆動する際に必要な映像信号（例えば、ＮＴＳＣ信号）に変換する。
【００３１】
画像圧縮回路２１９は、ＤＲＡＭ２２１に記憶された画像データの圧縮や変換（例えば、ＪＰＥＧデータへの変換）を行うための回路である。変換された画像データは、画像データ記録メディア２１８へ格納される。この画像データ記録メディア２１８としては半導体メモリ等が使用される。
【００３２】
カメラ２００には、パーソナルコンピュータに代表される外部機器３００を接続するための通信インターフェース回路２２４が設けられている。システムコントローラ２２３は、通信インターフェース回路２２４を介して外部機器３００と通信することが可能である。
【００３３】
システムコントローラ２２３には、ユーザーからの操作を受け付けるための操作部材が接続されている。レリーズスイッチＳＷ１（２３１）は、測光・焦点検出領域の設定などの撮影準備動作を開始させるためのスイッチである。レリーズスイッチＳＷ２（２３２）は、撮影動作（静止画像を取得するための電荷蓄積および電荷読み出し動作）を開始させるためのスイッチである。
【００３４】
焦点検出領域選択スイッチ２３３は、操作することでＡＦのための焦点検出領域を選択するモードへと移行させる。画像再生スイッチ２３４は、操作することで撮影した画像を再生するモードへと移行させる。ＡＦキャリブレーションスイッチ２３５は、操作することでＡＦキャリブレーションモードへと移行させる。方向スイッチ２３６は、上下左右の四方向に操作することが可能であり、それぞれの方向への入力指示を行うスイッチである。各モードにおいて複数候補からの選択やカーソルの移動などに用いられる。決定スイッチ２３７は、選択を決定するためのスイッチである。電子ダイヤルスイッチ２３８は回転ダイヤル式のスイッチであり、複数候補からの選択や画像の拡大縮小に用いられる。拡大縮小スイッチ２３９は、画像の再生モードにおいて用いられ、画像の拡大縮小操作を開始する。ブザー２４０は、各種動作に対応した音や警告音を発する。なお、本実施形態における操作部材は、同じ効果が得られる操作部材であれば、本実施形態の形状などに限定されるものではない。
【００３５】
次に、本実施形態におけるカメラ２００の動作シーケンスについて説明する。図２は、本実施形態におけるカメラ２００の動作シーケンスを示すフローチャートである。このフローチャートにおける各処理はシステムコントローラ２２３がカメラ情報メモリ２２２に格納されたプログラムを実行することにより実現される。なお、後述する各サブシーケンスについても同様である。
【００３６】
まず、カメラ２００の動作は不図示の電源スイッチをＯＮにすることにより開始される。シーケンス開始直後は、ユーザーによる操作部材の操作を受け付けている状態である。この後どの操作部材が操作されたかによって、処理は分岐される。通常、撮影シーケンスを開始した段階では、クイックリターンミラー２０２およびサブミラー２０３は図１と同じくダウンの状態であり、フォーカルプレーンシャッタ２０９も遮光された状態である。
【００３７】
図３は、本実施形態における撮像装置の接眼レンズ２０６を通してユーザーが確認できる被写体像を示す図である。カメラ２００が起動された直後は図３（ａ）のような被写体像が観察できる。これはフォーカシングスクリーン２０５上の被写体像（人物）に、ファインダー内情報表示装置２０８によって表示されたパターンが重畳されて表示されている様子を示している。中央の枠４０１は選択されたＡＦのための焦点検出領域を示している。
【００３８】
ステップＳ１では、焦点検出領域選択スイッチ２３３が操作されたか否かが判断される。操作された場合はステップＳ２へ移行し、ステップＳ２では焦点検出領域選択シーケンスのサブシーケンス処理を行う。
【００３９】
ステップＳ３では、レリーズスイッチＳＷ１（２３１）が操作されたか否かが判断される。操作された場合はステップＳ４へ移行し、ステップＳ４では通常撮影シーケンスのサブシーケンス処理を行う。
【００４０】
ステップＳ５では、画像再生スイッチ２３４が操作されたか否かが判断される。操作された場合はステップＳ６へ移行し、ステップＳ６では画像再生シーケンスのサブシーケンス処理を行う。
【００４１】
ステップＳ７では、ＡＦキャリブレーションスイッチ２３５が操作されたか否かが判断される。操作された場合はステップＳ８へ移行し、ステップＳ８ではＡＦキャリブレーション撮影シーケンスのサブシーケンス処理を行う。続いてステップＳ９では、ＡＦキャリブレーション画像選択のサブシーケンス処理を行う。
【００４２】
ＡＦキャリブレーションモードとは、撮影レンズ毎のピント位置ずれを補正するための「ＡＦ補正量」を設定するためのモードである。カメラ２００に取り付けられる撮影レンズ１００が変わると、撮影レンズ自体の製造誤差により、ＡＦユニット２０４が検出するピント位置にばらつきが生じる。この問題を解決するため、カメラ２００は、合焦位置を補正するためのＡＦ補正量を、撮影レンズ毎にカメラ情報メモリ２２２に保存しておくことが可能となっている。
【００４３】
図４は、本実施形態におけるカメラ２００の焦点検出領域選択シーケンスの動作を示すフローチャートである。
【００４４】
ステップＳ１０１では、ファインダー内情報表示装置２０８に未選択の焦点検出領域を表示する。このときの被写体像は図３（ｂ）のように表示される。未選択の焦点検出領域枠が符号４０２で示されている。ステップＳ１０１の処理が終了したら、ユーザーの操作を待ち受ける状態となり、ステップＳ１０２またはステップＳ１０４に分岐する。
【００４５】
ステップＳ１０２では、方向スイッチ２３６が操作されたか否かが判断され、操作された場合はステップＳ１０３へ移行し、操作されない場合はステップＳ１０４へ移行する。
【００４６】
ステップＳ１０３では、操作された方向に応じて、選択された焦点検出領域枠４０１と非選択の焦点検出領域枠４０２の表示を切り替える。例えば図３（ｂ）の状態から上方向の方向スイッチ２３６が操作された場合、図３（ｃ）のようになる。選択箇所が上方向へ二つ移動したことが確認できる。
【００４７】
ステップＳ１０４では、決定スイッチ２３７が操作されたか否かが判断され、操作された場合はステップＳ１０５へ移行し、操作されなかった場合はステップＳ１０２に戻る。ステップＳ１０５では、焦点検出領域の選択が完了したとして、カメラ動作シーケンスへと戻る。処理が終了した時点での被写体像は図３（ｄ）のようになる。
【００４８】
図５は、本実施形態における撮像装置の通常撮影シーケンスの動作を示すフローチャートである。シーケンスが開始されると、被写体の焦点検出（デフォーカス量の算出）を行うステップＳ２０１と露出量を決定するステップＳ２０７とに分岐し、これらの動作が並行して行われる。
【００４９】
ステップＳ２０１では、ＡＦユニット２０４により被写体の焦点検出を行う。焦点検出は、複数ある焦点検出領域のうち、図３（ｄ）のように選択された焦点検出領域において行われる。
【００５０】
前述した通り、ＡＦユニット２０４は二次結像位相差方式による焦点検出を行う。被写体像はＡＦユニット内のセパレータレンズによって二像に分離され、ＡＦセンサ上に結像される。ＡＦセンサは結像した被写体像の光電変換を行い、二像の照度分布を電気信号として取得する。得られた二像の電気信号について相関演算を行い二像の位相差を算出し、それからデフォーカス量を得ることができる。被写体像の二像分離については、分離する方向に関して複数の方向が考えられる。本実施形態においては、縦方向に分離した被写体像が結像するＡＦセンサを縦目センサ、横方向に分離した被写体像が結像するＡＦセンサを横目センサと呼ぶ。また、ここでの分離方向を相関方向と呼ぶ。縦目センサは、縦方向にコントラストのある被写体像（例えば横線）について二像の位相差からデフォーカス量を得ることができる検出センサである。横目センサは、横方向にコントラストのある被写体像（例えば縦線）について二像の位相差からデフォーカス量を得ることができる検出センサである。
【００５１】
ステップＳ２０２では、焦点検出が出来たか否かが判別される。焦点検出が出来なかった場合には、ステップＳ２０３へ移行して、警告を行う。警告は、ファインダー内情報表示装置２０８にエラーメッセージを表示する、ブザー２４０から警告音を発生する、などの方法によって行われる。焦点検出が出来た場合は、ステップＳ２０４に移行する。
【００５２】
ステップＳ２０４では、カメラ情報メモリ２２２およびレンズ情報メモリ１０７から、装着されている撮影レンズ１００に関するＡＦ補正量を読み出す。なお、ＡＦ補正量の初期設定は「０」、即ち補正量なしとなっており、ＡＦキャリブレーションモードで設定することによって初めて補正量が入力される。
【００５３】
ステップＳ２０５では、焦点検出結果（デフォーカス量）とＡＦ補正量に基づいてフォーカスレンズ１０１を駆動させる量を決定する。具体的には、以下の式により算出される。
【００５４】
レンズ駆動量＝焦点検出結果（デフォーカス量）＋ＡＦ補正量
ステップＳ２０６では、決定されたレンズ駆動量をレンズ制御回路１０４に送信し、レンズ制御回路１０４は受信したレンズ駆動量のデータを、レンズ駆動機構１０３のステッピングモータに与える駆動パルス数に換算する。これに基づいてステッピングモータを駆動させ、フォーカスレンズ１０１を移動させることで、被写体像の焦点調節が行われる。
【００５５】
一方、ステップＳ２０７では、撮影レンズ１００を通りフォーカシングスクリーン２０５に結像された被写体像を、ＡＥユニット２０７により測光する。ＡＥユニット２０７の出力に応じて、選択された焦点検出領域の近傍を重視した露出設定値が算出される。具体的には、撮影レンズの絞り値（Ｆ値）、撮像素子２１０の電荷蓄積時間（シャッタースピード）、撮像素子２１０のゲイン（ＩＳＯ感度）を決定する。
【００５６】
ステップＳ２０８では、露出設定が出来たか否かが判別される。露出設定が出来なかった場合には、ステップＳ２０９へ移行して、警告を行う。警告は、ファインダー内情報表示装置２０８にエラーメッセージを表示する、ブザー２４０から警告音を発生する、などの方法によって行われる。
【００５７】
ステップＳ２１０で露出を決定する。ステップＳ２１０で定めた露出条件をシステムコントローラ２２３内部に記憶する。
【００５８】
ステップＳ２１１で、焦点調節および露出設定が完了したことをユーザーに通知する。具体的には、ファインダー内情報表示装置２０８に焦点調節が完了したことを表示する、ブザー２４０から音を発生させる、などの方法によって行われる。
【００５９】
ステップＳ２１２では、レリーズスイッチＳＷ２（２３２）が操作されたか否かが判別される。操作されている場合はステップＳ２１３へ移行する。操作されていない場合はそのまま待機する。
【００６０】
ステップＳ２１３では、ミラー制御回路２１１と通信して、クイックリターンミラー２０２のアップ駆動を行わせる。ステップＳ２１４では、ステップＳ２１０で設定された絞り値の情報を絞り制御回路１０６へ送信する。そして、絞り制御回路１０６は、絞り駆動機構１０５を駆動して、絞り１０２を設定された絞り値まで絞り込む。
【００６１】
ステップＳ２１５では、フォーカルプレーンシャッタ２０９の先幕を開くように制御する。ステップＳ２１６では、画像データコントローラ２２０に対して撮像素子２１０の電荷蓄積動作を指示する。これにより、撮像素子２１０の露光が開始される。ステップＳ２１７では、ステップＳ２１０で決定された蓄積時間の間、待機する。そして蓄積時間が終わると、ステップＳ２１８へ移行し、フォーカルプレーンシャッタ２０９の後幕を閉じるように制御する。これにより、撮像素子２１０の露光が終了する。
【００６２】
ステップＳ２１９では、クイックリターンミラー２０２のダウン駆動を行う。ステップＳ２２０では、フォーカルプレーンシャッタ２０９のチャージ駆動を行う。ステップＳ２２１では、絞り１０２を開放へと駆動する。ステップＳ２２２では、画像データコントローラ２２０に対して撮像素子２１０から画像データを取り込むように指示する。ステップＳ２２３では、読み出した画像データを画像圧縮回路２１９を介して画像データ記録メディア２１８へ記録し、本フローの動作を終了する。 
図６は、本実施形態のカメラ２００における通常画像表示シーケンスの動作を示すフローチャートである。
【００６３】
ステップＳ３０１では、画像データ記録メディア２１８に格納されている画像ファイルを読み出す。複数の画像ファイルが画像データ記録メディア２１８に保存されている場合は、最も撮影された時間が新しい画像ファイルを読み出す。
【００６４】
ステップＳ３０２では、読み出した画像ファイルを表示装置２１３に表示する。図７は通常画像表示シーケンスにおいて表示装置２１３に表示される画像を示す図である。まず表示されるのは図７（ａ）に示す表示である。図７（ａ）において、５０１は使用した焦点検出領域を示す。５０２は使用した撮影レンズに関する情報を示す。この図では、焦点距離５０ｍｍ、開放Ｆ値１．８の撮影レンズを使用して撮影したこと示している。５０３は撮影条件の情報を示す。それぞれの数値は左側からシャッター速度、撮影レンズのＦ値、ＩＳＯ感度を表す。５０４は撮影日時の情報を示す。５０５は画像ファイルの名称を示す。本実施形態のカメラ２００では撮影した画像０００１から連番で画像名称（画像番号）が割り付けられる。この画像は０００１から数えて１０枚目に撮影した画像であることを示している。
【００６５】
ステップＳ３０２の後は、操作部材の操作を受け付ける状態となる。ステップＳ３０３では、電子ダイヤルスイッチ２３８が操作されたか否かが判断される。電子ダイヤルスイッチ２３８は回転式ダイヤルであり、正回転、逆回転の両方向に操作可能である。そのため回転方向に応じて処理が分岐する。
【００６６】
ステップＳ３０４は、電子ダイヤルスイッチ２３８を正方向に操作した場合の処理であり、表示されている画像を順方向に切り換える。図７（ａ）の例であれば、００１０は最後の画像なので、ループして最初の画像０００１が表示される。
【００６７】
ステップＳ３０５は、電子ダイヤルスイッチ２３８を逆方向に操作した場合の処理であり、表示されている画像を逆方向に切り換える。図７（ａ）の例であれば、００１０の一つ前の画像である０００９が表示される。
【００６８】
このように電子ダイヤルスイッチ２３８が操作されると画像送りの処理を実行する。ステップＳ３０４、ステップＳ３０５が完了したら、ステップＳ３０３へ戻り、再び操作部材の操作を受け付ける状態となる。
【００６９】
一方、ステップＳ３０３において電子ダイヤルスイッチ２３８がＯＦＦの場合には、ステップＳ３０６に移行し、拡大縮小スイッチ２３９が操作されたか否かが判断される。操作されている場合はステップＳ３０７へ移行し、操作されなかった場合はステップＳ３１３に移行する。
【００７０】
ステップＳ３０７では、電子ダイヤルスイッチ２３８が操作されたかを判断する。電子ダイヤルスイッチ２３８の操作された回転方向に応じて処理が分岐する。ステップＳ３０８は、電子ダイヤルスイッチ２３８を正方向に操作した場合の処理であり、画像表示の拡大を行う。拡大表示は焦点検出領域位置５０１を中心として行う。図７（ｂ）は図７（ａ）の状態から画像を拡大した状態を示す図である。図７（ｂ）の５０６は拡大表示されていることを示すマークである。
【００７１】
ステップＳ３０９は、電子ダイヤルスイッチ２３８を逆方向に操作した場合の処理であり、画像表示の縮小を行う。ステップＳ３０８と同様にして、焦点検出領域位置５０１を中心として縮小表示を行う。例えば図７（ｂ）のように画像表示された状態から縮小すれば、表示される画像は図７（ａ）のようになる。さらに図７（ａ）の状態から電子ダイヤルスイッチ２３８を逆回転させた場合は、撮影画像のサムネイル表示へと移行する。
【００７２】
一方、ステップＳ３０７において電子ダイヤルスイッチ２３８がＯＦＦの場合には、ステップＳ３１０に移行する。ステップＳ３１０では、方向スイッチ２３６が操作されたか否かが判断される。方向スイッチ２３６が操作されている場合はステップＳ３１１へ移行し、操作されていない場合はステップＳ３１２に移行する。
【００７３】
ステップＳ３１１では、方向スイッチ２３６が操作された方向に応じて、画像表示の中心位置を移動させる。方向スイッチ２３６は四方向に入力が可能であり、入力した方向へ画像中心を移動させる。図７（ｃ）は図７（ｂ）の状態から、方向スイッチ２３６を下方向へ入力した場合に表示される画像である。
【００７４】
ステップＳ３０８、Ｓ３０９、Ｓ３１１の処理が完了した後はステップＳ３０７へ戻り、再度ユーザーの操作を受け付ける状態となる。このように電子ダイヤルスイッチ２３８と方向スイッチ２３６の操作を繰り返すことで、撮影画像の任意の位置を拡大、縮小して表示させることが可能となる。
【００７５】
ステップＳ３１２で決定スイッチ２３７が操作されると、拡大縮小が完了したとしてステップＳ３０３へ戻る。決定スイッチ２３７が操作されなかった場合は、ステップＳ３０７に戻り、操作部材の操作を受け付ける状態となる。
【００７６】
ステップＳ３１３で決定スイッチ２３７が操作されると、画像再生を終了する。操作されなかった場合は、ステップＳ３０３に戻り、操作部材の操作を受け付ける状態となる。
【００７７】
前述した通り、本実施形態のカメラ２００は、撮影レンズ毎のピント位置ずれを補正するためのＡＦ補正量を設定することが可能である。ＡＦキャリブレーションモードとは、このＡＦ補正量を適切に設定するためのモードである。
【００７８】
ＡＦキャリブレーションモードでは、ある位置を基準とし、その基準位置の前後にフォーカスレンズ１０１（焦点位置）を微小量（所定量）駆動しながら複数枚の画像を撮影する撮影制御である、所謂フォーカスブラケット撮影を行う（Ｓ８）。フォーカスブラケット撮影を行う際、各々の撮影画像には、撮影した際のデフォーカス量が関連付けられる。次に、フォーカスブラケット撮影された画像の中から、ユーザーが最もピントが合っていると判断した画像を選択する（Ｓ９）。すると、ユーザーに選択された画像に関連付けられたデフォーカス量と、最初に定めた基準のデフォーカス量の差がＡＦ補正量として設定される。
【００７９】
図８は、本実施形態におけるＡＦキャリブレーション撮影シーケンスの動作を示すフローチャートである。
【００８０】
ステップＳ４０１では、装着されている撮影レンズに対応するＡＦ補正量がカメラ情報メモリ２２２に記憶されているか否かを確認する。ステップＳ４０２では、クイックリターンミラー２０２のアップ駆動を行う。ステップＳ４０３では、フォーカルプレーンシャッタ２０９の先幕を開くように制御する。これにより撮像素子２１０に被写体像が結像した状態となる。ステップＳ４０４では、結像された被写体像を撮像素子２１０により画像信号に変換し、表示装置２１３に動画像として表示する（所謂ライブビュー表示を行う）。
【００８１】
図９は、ＡＦキャリブレーション撮影前に表示装置２１３に表示される画像を示す図である。中央にある枠（ガイド枠）６０１は第１の被写体領域を表す。第１の被写体領域６０１は、ＡＦユニット２０４で焦点検出する領域を示している。第１の被写体領域６０１の周囲にあるもう一方の枠（ガイド枠）６０２は第２の被写体領域を表す。第２の被写体領域６０２は、ＡＦキャリブレーション画像を選択する際に画像のピント位置を把握するのに好適な被写体を配置するための領域である。図９では第１の被写体領域６０１と第２の被写体領域６０２は黒色の枠として示されているが、実際は色付であり、それぞれを別の色で表示することで識別しやすくする。
【００８２】
画面左上の６０３は撮影レンズに関する情報を示す。焦点距離５０ｍｍ、開放Ｆ値１．８の撮影レンズが装着されていること示す。画面右下の６０４はガイダンス表示部を示す。ＡＦキャリブレーション撮影に好適な被写体を選択できるよう、ユーザーへのガイダンスを表示する箇所である。なお、ガイダンス表示の内容と意味については後述する。
【００８３】
ステップＳ４０５では、ユーザーは、ガイダンスに従い、表示された第１の被写体領域６０１には平面的な被写体が、第２の被写体領域６０２には奥行のある被写体が配置されるよう、構図を調整する。ここでは、図９の構図のまま撮影をしたとする。
【００８４】
ステップＳ４０６では、レリーズスイッチＳＷ１（２３１）が操作されたか否かが検出される。レリーズスイッチＳＷ１が操作された場合、次のステップＳ４０７の処理へ移行し、操作されなかった場合には、そのまま待機する。
【００８５】
ステップＳ４０７では、表示装置２１３の動画表示を終了し、撮像素子２１０の電荷蓄積も停止させる。ステップＳ４０８では、フォーカルプレーンシャッタ２０９の後幕を閉じるように制御する。ステップＳ４０９では、クイックリターンミラー２０２のダウン駆動を行う。ステップＳ４１０では、フォーカルプレーンシャッタ２０９のチャージ駆動を行う。ここまでの動作で、クイックリターンミラー２０２がダウン状態となったことから、ＡＦユニット２０４、ＡＥユニット２０７で焦点検出と測光を行うことが可能となる。
【００８６】
ステップＳ４１１では、ＡＦユニット２０４により第１の被写体領域６０１の焦点検出を行う。ステップＳ４１２では、焦点検出が出来たか否かが判別される。焦点検出が出来なかった場合には、ステップＳ４１３へ移行して、警告を行う。警告は、ファインダー内情報表示装置２０８にエラーメッセージを表示する、ブザー２４０から警告音を発生させる、などの方法によって行われる。焦点検出が出来た場合は、ステップＳ４１４に移行する。
【００８７】
ステップＳ４１４では、焦点検出結果（デフォーカス量）からフォーカスレンズ１０１を駆動させる量を決定する。通常撮影シーケンスとは異なり、レンズ駆動量を算出する際にＡＦ補正量が記憶されていたとしても、これを使用しない。これは、ＡＦキャリブレーションモードはＡＦ補正量を設定するためのモードであるからである。
【００８８】
ステップＳ４１５では、決定されたレンズ駆動量をレンズ制御回路１０４に送信し、レンズ制御回路１０４は受信したレンズ駆動量のデータを、レンズ駆動機構１０３のステッピングモータに与える駆動パルス数に換算する。これに基づいてステッピングモータを駆動させ、フォーカスレンズ１０１を移動させる。
【００８９】
ステップＳ４１６では、撮影レンズ１００を通りフォーカシングスクリーン２０５に結像された被写体像を、ＡＥユニット２０７で測光する。前述のように、ＡＥユニット２０７の出力に応じて、選択した焦点検出領域近傍を重視した露出設定値が算出される。具体的には、撮像素子２１０の電荷蓄積時間（シャッタースピード）、撮像素子２１０のゲイン（ＩＳＯ感度）を決定する。通常撮影シーケンスとは異なり、ＡＦキャリブレーションモードにおける露出設定では絞りは開放である。これは、撮影レンズのＦ値が小さい方が撮影画像の焦点深度が浅くなり、画像のピント確認が容易になるためである。
【００９０】
ステップＳ４１７では、露出設定が出来たか否かが判別される。露出設定が出来なかった場合には、ステップＳ４１８へ移行して、警告を行う。警告は、ファインダー内情報表示装置２０８にエラーメッセージを表示する、ブザー２４０から警告音を発生する、などの方法によって行われる。
【００９１】
ステップＳ４１７で露出設定ができた場合は、ステップＳ４１９に移行し、露出を決定する。ステップＳ４１９で決定された露出条件をシステムコントローラ２２３の内部に記憶する。ステップＳ４２０では、クイックリターンミラー２０２のアップ駆動を行う。ステップＳ４２１では、フォーカルプレーンシャッタ２０９の先幕を開くように制御する。
【００９２】
ステップＳ４２２では、被写体像を撮像素子２１０により画像信号に変換し、表示装置２１３に動画像として表示する。同時に第１の被写体領域６０１と第２の被写体領域６０２の表示も行う。
【００９３】
ステップＳ４２３で、焦点調節および露出設定が完了したことをユーザーに通知する。具体的には、通知は、表示装置２１３に焦点調節が完了し、ＡＦキャリブレーション撮影の準備が整ったことを表示する、ブザー２４０から音を発生させる、などの方法によって行われる。
【００９４】
ステップＳ４２４では、レリーズスイッチＳＷ２（２３２）が操作されたか否かが検出される。レリーズスイッチＳＷ２（２３２）が操作された場合、次のステップＳ４２５の処理へ移行し、操作されなかった場合、そのまま待機する。レリーズスイッチＳＷ２（２３２）が操作されると、フォーカスブラケット撮影が開始される。
【００９５】
ステップＳ４２５では、画像データ記録メディア２１８に、フォーカスブラケット撮影によって作成される画像を一時的に保存するためのフォルダを作成する。これは、既に画像データ記録メディア２１８に別の撮影画像が記録されていた場合に、フォーカスブラケット撮影された画像が同一フォルダ内で混在することを防ぐための処理である。
【００９６】
ステップＳ４２６では、撮影枚数のカウンター「Ｎ」の初期値を定める。初期値はＮ＝０である。ステップＳ４２７では、フォーカスブラケット撮影で取得する画像の枚数「Ｍ」を定める。本実施形態ではＭ＝９としている。
【００９７】
ステップＳ４２８では、フォーカスブラケットステップ量 「ＳＴ」を定める。フォーカスブラケットステップ量とは、フォーカスブラケット撮影時のデフォーカス量の間隔である。本実施形態では以下の式からフォーカスブラケットステップ量ＳＴを定めている。
【００９８】
ＳＴ＝Ｆ×δ／［（Ｍ−１）／２］
ここで、Ｆは撮影レンズ１００の開放Ｆ値、δは撮影レンズ１００の許容錯乱円径である。すなわちＦ×δは、撮影レンズ１００を絞り開放で撮影した際の焦点深度に等しい。なお、Ｆとδは撮影レンズ１００内のレンズ情報メモリ１０７に記憶されており、これをシステムコントローラ２２３が読み出すことで代入される。（Ｍ−１）／２で除すことで、撮影枚数Ｍの中央からＦδの範囲で等分したものがフォーカスブラケットステップ量ＳＴとなる。
【００９９】
ステップＳ４２９では、表示装置２１３の動画表示を終了し、撮像素子２１０の電荷蓄積も停止させる。ステップＳ４３０では、フォーカルプレーンシャッタ２０９の後幕を閉じるように制御する。ステップＳ４３１では、フォーカルプレーンシャッタ２０９のチャージ動作を行う。ステップＳ４３２では、カウンターＮを１増加（カウントアップ）する。
【０１００】
ステップＳ４３３では、フォーカスレンズ１０１を駆動させるため、デフォーカス量ＤＦを定める。ステップＳ４２８でＳＴが定まっているため、デフォーカス量ＤＦは、
ＤＦ＝ＳＴ×［Ｎ−（Ｍ−１）／２］
として求められる。本実施形態ではＭ＝９としているので、フォーカスブラケット撮影でＤＦ＝０となる場合（デフォーカス量が基準値となる場合）のフォーカスレンズ位置での撮影画像と、ＤＦがマイナスの場合の４つの撮影画像と、ＤＦがプラスの場合の４つの撮影画像とが撮影されることになる。
【０１０１】
ステップＳ４３４では、ステップＳ４３３で演算したデフォーカス量ＤＦから、駆動させるべきフォーカスレンズ１０１の移動量を算出する。これをレンズ制御回路１０４に送信し、レンズ制御回路１０４は受信したレンズ駆動量のデータを、レンズ駆動機構１０３のステッピングモータに与える駆動パルス数に換算する。これに基づいてステッピングモータを駆動させ、フォーカスレンズ１０１を移動させる。
【０１０２】
ステップＳ４３５では、フォーカルプレーンシャッタ２０９の先幕を開くように制御する。ステップＳ４３６では、画像データコントローラ２２０に対して撮像素子２１０の電荷蓄積動作を指示する。これにより、撮像素子２１０の露光が開始される。ステップＳ４３７では、ステップＳ４１９で決定された蓄積時間の間、待機する。そして蓄積時間が終わると、ステップＳ４３８へ移行し、フォーカルプレーンシャッタ２０９の後幕を閉じるように制御する。これにより、撮像素子２１０の露光が終了する。
【０１０３】
ステップＳ４３９では、画像データコントローラ２２０に対して撮像素子２１０から画像データを取り込むように指示する。ステップＳ４４０では、読み出した画像データを画像圧縮回路２１９を介して画像データ記録メディア２１８へ記録する。画像データはステップＳ４２５で作成された専用のフォルダに記録される。画像データには、撮影した時点のデフォーカス量ＤＦ、カウンターＮの値、第１の被写体領域６０１の位置、第２の被写体領域６０２の位置の情報も関連付けて保存される。
【０１０４】
ステップＳ４４１では、カウンターＮと撮影枚数Ｍの値を比較する。カウンターＮと撮影枚数Ｍが等しければ、ＡＦキャリブレーション撮影のシーケンスを終了する。カウンターＮと撮影枚数Ｍが等しくなければ、ステップＳ４３１まで戻って処理を行う。これにより、カウンターＮが設定された撮影枚数Ｍに到達するまで、撮影を繰り返すこととなる。
【０１０５】
以上説明したＡＦキャリブレーション撮影のシーケンスが終了すると、続けてＡＦキャリブレーション画像選択シーケンス（Ｓ９）に移行する。図１０は、本実施形態におけるＡＦキャリブレーション画像選択シーケンスの動作を示したフローチャートである。
【０１０６】
ステップＳ５０１で、画像データコントローラ２２０に、画像データ記録メディア２１８から、ＡＦキャリブレーション撮影シーケンスにて撮影されたカウンター「１」の画像データを読み出す。
【０１０７】
ステップＳ５０２では、ステップＳ５０１で読み出した画像を、表示装置２１３に表示させる。ここで、ＡＦキャリブレーション画像選択シーケンスにおいて画像データを表示する際には、通常画像表示シーケンスで画像を表示する場合とは異なり、ステップＳ４０５で設定した第２の被写体領域を含む範囲を拡大表示する。
【０１０８】
図１１は、ＡＦキャリブレーション画像選択シーケンスにおいて表示装置２１３に表示される画像を示した図である。第２の被写体領域６０２の全域が拡大して表示されている。ここから先の処理であるステップＳ５０３からＳ５１２は、通常画像再生シーケンスにおけるステップＳ３０３からＳ３１２と同様であるため、説明は省略する。ステップＳ５０３からＳ５１２は画像の順送り、逆送りと拡大、縮小操作である。これらの処理を繰り返しながら、ユーザーはブラケット撮影された画像のうち、最も被写体に対してピントが合っている画像（合焦画像）を選択する。
【０１０９】
ステップＳ５１３で決定スイッチ２３７が操作されると、ステップＳ５１４の処理に移行する。このとき表示されている画像が、合焦画像としてユーザーが選択したものであるとして処理を進める。
【０１１０】
ステップＳ５１４では、合焦画像に関連付けられているデフォーカス量ＤＦを読み出す。合焦画像に関連付けられたデフォーカス量は、ＡＦユニット２０４が合焦していると判断した位置（デフォーカス量ＤＦ＝０の位置）からの差であり、これは即ちＡＦ補正量である。
【０１１１】
ステップＳ５１５では、カメラ情報メモリ２２２もしくはレンズ情報メモリ１０７に、合焦画像から求められたＡＦ補正量を記憶させる。ここで記憶させるＡＦ補正量には、撮影レンズ１００の情報も関連付けられる。ステップＳ５１６では、画像データ記録メディア２１８に保存されていたＡＦキャリブレーション撮影のデータを削除する。
【０１１２】
本実施形態のＡＦキャリブレーションモードの特徴と、それにより得られる効果について以下説明する。
【０１１３】
撮像装置に搭載されているＡＦの方式としては、本実施形態のような二次結像位相差検出方式の他、撮像面位相差検出や、コントラストピーク検出といった方式がある。これらのＡＦ方式では、焦点検出する被写体は焦点検出する範囲内で光軸方向に同じ距離である（平面的である）ことが望ましい。これは、焦点検出する範囲内に光軸方向の距離差が存在する（所謂遠近競合と呼ばれる）状態では、焦点検出誤差が生じる可能性があるためである。また、被写体は焦点検出する範囲内に輝度差がある（高コントラストである）ことも必要である。これは、上述のＡＦ方式ではいずれも光電変換素子を利用しているため、輝度差のある被写体の方がＳ／Ｎ比が良好であるためである。以上のような理由から、ＡＦ焦点検出範囲に相当する第１の被写体領域６０１には、平面的で、輝度差のある被写体を配置するようにしている。
【０１１４】
一方、撮影した画像から合焦状態を判断する場合を考える。通常、ユーザーが平面的な被写体を撮影した画像を見て合焦しているか否かを判断する際は、被写体の輝度差がある部分（画像でいう、エッジ部）のボケ具合を見て判断することが多い。しかし、このような合焦判断の方法は、ＡＦキャリブレーションモードにおける画像の選択方法として好ましいものではない。その理由は、ＡＦキャリブレーションモードで調整するＡＦピント位置の範囲に対し、撮影レンズの焦点深度が大きいため、ユーザーが合焦している画像を選択する際にばらつきが生じるからである。
【０１１５】
ＡＦキャリブレーションで補正するのは撮影レンズの製造誤差によるピントずれであり、それは数十μｍ程度である。これに対し、撮影レンズの許容錯乱円径δは１０から３０μｍ程度である。例えば、許容錯乱円径が１０μｍ、撮影レンズの開放Ｆ値が２．０だとすれば焦点深度Ｆδは２０μｍとなる。この場合、ＡＦキャリブレーションによって撮影レンズの製造誤差を補正しようとすれば、フォーカスブラケットステップＳＴは５μｍである。従って、フォーカスブラケット撮影された画像のうち数枚はピント位置が焦点深度内にある。ピント位置が焦点深度内であれば、概ねピントが合っているように見える。
【０１１６】
しかし、ＡＦキャリブレーションは、ピント精度を焦点深度内でさらに高めるような、非常に高いピント精度を要求するユーザーのための機能でもある。そのため、ピント位置が焦点深度内にある複数の画像から、最もピント位置が良好な一枚の画像を選択する必要がある。
【０１１７】
本実施形態では上述の問題を解決するため、第２の被写体領域６０２を設け、ＡＦキャリブレーションモードの撮影時にはこの中に奥行のある被写体を置くように誘導している。ここでいう奥行のある被写体とは、ＡＦが焦点検出する平面的な被写体に対して平行でない被写体であり、特に平面的な被写体から撮影光軸に対して前後方向に奥行のある被写体が好適である。
【０１１８】
図１２は、本実施形態のＡＦキャリブレーション撮影に好適な、平面的な被写体と立体的な被写体の概念的な形態を表した図である。図１２（ａ）は被写体の斜視図、図１２（ｂ）は撮像装置１との位置関係を示す図である。
【０１１９】
カメラ２００の撮影光軸上には平面チャート７０１が存在する。平面チャート７０１は撮影光軸に対して垂直に配置される。また、平面チャート７０１は高コントラストなパターン（黒色と白色のパターン）を有する。一方、７０２は斜めチャートを示す。斜めチャート７０２は、撮影光軸から傾いた状態で、平面チャート７０１の前後にわたって配置されている。また、斜めチャート７０２には等間隔の目盛がパターンとして設けられている。
【０１２０】
図１３Ａ、１３Ｂは、フォーカスブラケット撮影を、図１２に示す被写体を用いて実施した結果得られる画像を示す図である。
【０１２１】
図１３Ａは画像の全体を示している。平面チャート７０１上の白色破線は、第１の被写体領域６０１を、斜めチャート７０２上の破線は第２の被写体領域６０２を、それぞれ示している。図１３Ｂは、図１３(ａ)中の第１の被写体領域６０１と、第２の被写体領域６０２の部分を拡大して示した図であり、ＡＦキャリブレーション撮影で得られる９枚の画像を示している。
【０１２２】
太線７０２ａは斜めチャート７０２上にある目盛のうち、平面チャート７０１と同じ距離にあるものを明示している。網掛け部は、ピントが合っていない範囲を示している。この図中では網掛けとして示しているが、実際の画像ではこの範囲はボケた画像となる。前述したように、ＡＦキャリブレーション撮影ではフォーカスレンズ１０１を等ステップで駆動しながら連続して撮影を行う。
【０１２３】
図１３Ｂの画像中から合焦画像を選択しようとした場合、平面チャート７０１は６枚目から８枚目はピントが合っているように見える。このような画像から、ユーザーが最もピントが合っている画像を判別するのは難しい。それに対して、斜めチャート７０２のような光軸に対して傾いた被写体をフォーカスブラケット撮影すると、徐々にピント位置が移動する連続した画像が得られる。これから、斜めチャート７０２の中でピントが合っているように見える範囲が平面チャートとほぼ同じ位置にある太線７０２ａと一致する画像（７枚目の画像）があることがわかる。これが合焦画像に相当する。
【０１２４】
このように、斜めチャート７０２のような被写体を撮影することで、合焦画像を選択するための明確な基準が得られる。そのため、平面チャート７０１を見ながら画像を選択するより、斜めチャート７０２を見ながら平面チャート７０１と同じ位置にピントが合っている画像を選択するという方法の方が合焦画像の選択ばらつきが発生しにくい。
【０１２５】
なお、斜めチャート上の太線７０２ａは、図として平面チャート７０１と同じ距離にある箇所を明示したものなので、実際に平面チャート７０１と同じ距離の目盛が他の目盛と異なる形態である必要はない。例えば目盛は全て同じ形状であっても、平面チャート７０１が画像中に見えていれば、斜めチャート７０２上で平面チャート７０１と同じ距離にある箇所を探すことは可能である。
【０１２６】
なお、ここでは、図１２で説明したような理想的なチャートを撮影した場合についてその効果を説明したが、使用する被写体はこれに限定されない。例えば、平面チャート７０１の代わりに看板や壁などを、斜めチャート７０２の代わりに道路や天井などを、それぞれ利用することで、様々な撮影シーンにおいてもＡＦキャリブレーションを実行することができる。
【０１２７】
本実施形態では、フォーカスブラケット撮影の前に、第１の被写体領域６０１と第２の被写体領域６０２を設け、これに図１２に示したように被写体を設置するようユーザーに促している。そして、ユーザーが画像を選択する際には第２の被写体領域６０２を含む範囲を拡大して表示している。
【０１２８】
これにより、第２の被写体領域６０２には斜めチャート７０２のような奥行のある被写体を配置させるようにしている。また、ＡＦキャリブレーション画像の選択において、ユーザーに通常目に付き易い第１の被写体領域６０１にある被写体でなく、第２の被写体領域６０２にある被写体のピントを見ながら合焦画像を選択させるようにしている。
【０１２９】
以上説明した本発明の第１の実施形態によれば、ユーザーが合焦画像を適切に選択できる、高精度なＡＦキャリブレーションが可能な撮像装置を提供することができる。
【０１３０】
なお、第１の実施形態では、ＡＦキャリブレーションモードにおいて、第２の被写体領域６０２を含む範囲を画像選択の際に拡大表示していたが、その周囲にある第１の被写体領域６０１が含まれて拡大して表示されていてもよい。もしくは、第２の被写体領域６０２と第１の被写体領域６０１が別々に拡大して表示されていてもよい。
【０１３１】
これにより、第２の被写体領域６０２を見つつ、第１の被写体領域６０１のピントも同時に確認することが可能となる。このような表示方法は、第２の被写体領域６０２に第１の被写体領域６０１と同じ距離であることの目安（太線７０２ａ）が無い場合において、第１の被写体領域６０１を見ることでその代替とすることができる。
【０１３２】
（第２の実施形態）
以下、本発明の第２の実施形態について説明する。なお、第２の実施形態における撮像装置の構成は、特に断りが無い限り第１の実施形態の構成と同様である。そのため、共通する構成要素、動作のフローチャート等の説明は省略する。
【０１３３】
図１４は、第２の実施形態におけるカメラ２００のＡＦキャリブレーション画像選択シーケンスの動作を示すフローチャートである。
【０１３４】
第１の実施形態との差は、ステップＳ５０２ａおける処理である。第１の実施形態では、ブラケット撮影された画像の第２の被写体領域６０２を含む領域を拡大表示していたのに対し、第２の実施形態では、第２の被写体領域６０２を含む範囲外をハッチング処理して表示させている。
【０１３５】
図１５は、第２の実施形態におけるカメラ２００のＡＦキャリブレーション撮影を、図１２の被写体を用いて実施した結果得られる画像を示す図である。このように第２の被写体領域以外がハッチングされて視認性が悪くなり、ユーザーが第２の被写体６０２に着目するように促している。
【０１３６】
以上説明した第２の実施形態によれば、第１の実施形態と同様に、ユーザーが合焦画像を適切に選択できるようになり、高精度なＡＦキャリブレーションが可能な撮像装置を提供することができる。
【０１３７】
（第３の実施形態）
以下、本発明の第３の実施形態について説明する。なお、第３の実施形態における撮像装置の構成は、特に断りが無い限り第１の実施形態の構成と同様である。そのため、共通する構成要素、動作のフローチャート等の説明は省略する。
【０１３８】
図１６は、第３の実施形態におけるカメラ２００ａの構成を示すブロック図である。第１の実施形態との差は、操作部材としてタッチパネル２４１が追加されている点である。タッチパネル２４１は表示装置２１３に表示される特定の箇所をユーザーがタッチすることで、操作を認識する。
【０１３９】
図１７は、第３の実施形態におけるカメラ２００ａのＡＦキャリブレーション撮影シーケンスの動作を示すフローチャートである。第１の実施形態との差は、ステップＳ４０５でユーザーが撮影構図の調整を行う際、タッチパネル２４１により、第２の被写体領域６０２を移動させることが可能となっている点である（ステップＳ４０５ａ）。
【０１４０】
図１８は、第３の実施形態における、ＡＦキャリブレーション撮影前に表示装置２１３に表示される画像を示す図である。図１８（ａ）のような画像が表示されているときに、ユーザーが指６０５で第２の被写体領域６０２を移動させることが可能である。ユーザーが第２の被写体領域６０２の近傍で、タッチパネル上に置いた指６０５を図中矢印の方向へスライド操作すれば、図１８（ｂ）のように、第２の被写体領域６０２を移動させることができる。
【０１４１】
また、タッチパネル２４１を操作することで、第２の被写体領域６０２の範囲を変更することも可能である。二本の指６０５を使用してピンチイン、ピンチアウト操作をすることで、第２の被写体領域６０２の範囲を変更することができる。
【０１４２】
図１８（ｃ）のように、第２の被写体領域６０２の近傍で、タッチパネル上に置いた二本の指６０５を図中矢印の方向へスライド操作（ピンチアウト）すれば、図１８（ｄ）のように、第２の被写体領域６０２を拡大させることができる。逆にタッチパネル上に置いた二本の指６０５を図１８（ｃ）の矢印とは逆方向へスライド操作（ピンチイン）すれば、第２の被写体領域６０２を縮小させることができる。
【０１４３】
以上説明した第３の実施形態によれば、ＡＦキャリブレーション撮影の際に第２の被写体領域６０２の位置を変更することができる。これにより、ユーザーは被写体の構図をより自由に選択できるようになり、より多くの撮影シーンにおいて、高精度なＡＦキャリブレーションが可能な撮像装置を提供することができる。
【０１４４】
なお、第３の実施形態では、タッチパネル２４１を用いて第２の被写体領域６０２の位置調整を行ったが、操作部材はタッチパネル２４１に限定されない。例えば方向スイッチ２３６を操作することで第２の被写体領域６０２を移動させるようにしても同じ効果が得られる。
【０１４５】
（第４の実施形態）
以下、本発明の第４の実施形態について説明する。なお、第４の実施形態における撮像装置の構成は、特に断りが無い限り第３の実施形態の構成と同様である。そのため、共通する構成要素、動作のフローチャート等の説明は省略する。
【０１４６】
図１９は、第４の実施形態における、ＡＦキャリブレーション撮影前に表示装置２１３に表示される画像を示す図である。第３の実施形態との違いは、第２の被写体領域６０２の中に、第３の被写体領域６０６が存在することである。第３の被写体領域６０６は、第２の被写体領域６０２と同様に、タッチパネル２４１を操作することで移動させることが可能である。
【０１４７】
第３の被写体領域６０６は、第２の被写体領域６０２の範囲内で、第１の被写体領域６０１と同じ距離にある箇所に配置する。ガイダンス表示部６０４にも、第３の被写体領域６０６をどのように配置すべきかのガイダンスを表示している。
【０１４８】
図２０は、第４の実施形態における撮像装置のＡＦキャリブレーション画像選択シーケンスの動作を示すフローチャートである。
【０１４９】
第１の実施形態との違いは、ステップＳ５０２ｂにおける処理である。第１の実施形態では、ブラケット撮影された画像の第２の被写体領域６０２を含む領域を拡大表示していたのに対し、第４の実施形態では、加えて第３の被写体領域６０６の枠も重畳して表示している。なお、第３の被写体領域６０６を矩形枠としたが、設定方法はこれに限定されない。例えば枠でなく線であってもよい。
【０１５０】
このように表示することによって、ユーザーは第１の被写体領域６０１が表示されていなくとも、第３の被写体領域６０６の位置を頼りに合焦画像を選択することが可能となる。これは、例えば図１８（ｂ）のように、第１の被写体領域６０１と第２の被写体領域６０２の間隔が離れている場合に有効である。
【０１５１】
以上説明した第４の実施形態によれば、第１の被写体領域６０１の近傍に第２の被写体領域６０２が無くとも、ユーザーが合焦画像を適切に選択できるようになり、高精度なＡＦキャリブレーションが可能な撮像装置を提供することができる。
【０１５２】
また、第３の被写体領域６０６の範囲における画像のコントラストを評価することで、合焦画像をある程度選別することが可能である。画像のコントラスト評価によって合焦画像を選択するのは、公知のコントラストＡＦであり、これを利用することで合焦していない画像は表示しないなどの処理を行ってもよい。
【０１５３】
このようにすれば、ユーザーが全ての画像を確認せずとも、カメラ２００ａがある程度自動的にピントの合っていない画像を省くことでユーザーの手間を省略しつつ、ユーザーが合焦画像を適切に選択できるようになる。そのため、高精度なＡＦキャリブレーションが可能な撮像装置を提供することができる
以上、本発明の好ましい形態について説明したが、本発明はこれらの実施形態に限定されず、その要旨の範囲内で種々の変形および変更が可能である。
【０１５４】
例えば、上記の実施形態では、二次結像位相差検出方式のＡＦユニット２０４に対し、ＡＦ補正量を設定、適用した。これに限らず、同じデフォーカス量を算出するＡＦ方式、例えば撮像面位相差方式のＡＦを対象としても、本発明の効果は得られる。二次結像位相差と撮像面位相差の両方を備える場合は、それぞれ別の補正値を記憶する必要がある。例えば、ＡＦブラケットステップ量を選択できるようにすることも可能である。その場合、大きなピント補正が必要な場合でも、ＡＦキャリブレーション撮影におけるＡＦブラケットステップ量を段階的に（大きなステップ量から小さいステップ量へ）変化させて複数回実行することで、ピント補正量を適切な値まで絞り込んで求めていくことができる。
【０１５５】
（第５の実施形態）
以下、本発明の第５の実施形態について説明する。なお、第５の実施形態における撮像装置の構成は、特に断りが無い限り第１の実施形態の構成と同様である。そのため、共通する構成要素、動作のフローチャート等の説明は省略する。
【０１５６】
以下、図２１を用いて本実施形態におけるＡＦキャリブレーション撮影シーケンスの動作について説明する。図２１は、第５の実施形態におけるカメラ２００のＡＦキャリブレーション撮影シーケンスの動作を示すフローチャートである。図２１のフローは、第１の実施形態の図８のフローに対して、ステップＳ６１６における処理のみが異なっている。
【０１５７】
ステップＳ６１６では、撮影レンズ１００を通りフォーカシングスクリーン２０５に結像した被写体像をＡＥユニット２０７で測光し、第２の被写体領域６０２の測光結果に基づいて露出を決める。具体的には、撮像素子２１０の電荷蓄積時間（シャッタースピード）、撮像素子２１０のゲイン（ＩＳＯ感度）を決定する。通常撮影シーケンスとは異なり、ＡＦキャリブレーションモードにおける露出設定は絞り開放である。
【０１５８】
第１の実施形態では、一般撮影時のＡＥシーケンスと同様に、選択した焦点検出領域付近が適正露出になるよう露出制御した。それに対し、本実施形態では第２の被写体領域６０２が適正露出となるよう露出制御している。それにより、ＡＦキャリブレーション画像選択シーケンスの中で、注目するべき第２の被写体領域６０２が適正露出になっているので、より適切に合焦している画像を選択することができる。
【０１５９】
以上の構成により、例えば選択した焦点検出領域と第２の被写体領域６０２との間で大きな輝度差があるシーンであっても、ユーザーが合焦画像を適切に選択できるようになり、より高精度なＡＦキャリブレーションが可能な撮像装置を提供することができる。
【０１６０】
（第６の実施形態）
以下、本発明の第６の実施形態について説明する。なお、第６の実施形態における撮像装置の構成は、特に断りが無い限り第１の実施形態の構成と同様である。そのため、共通する構成要素、動作のフローチャート等の説明は省略する。
【０１６１】
第１の実施形態においては、カメラ２００が表示する被写体領域に対してユーザーが構図を調整するものとして説明した。これに対し、第６の実施形態においては、第１の被写体領域６０１および第２の被写体領域６０２をシステムコントローラ２２３が被写体像のデフォーカス量に基づいて設定する。
【０１６２】
図２２は、第６の実施形態における被写体像と被写体像内の焦点検出領域を表す概略図である。焦点検出領域８０１はＡＦユニット２０４の焦点検出領域であり、各焦点検出領域を破線の四角形で表す。ここで、各焦点検出領域は縦目センサと横目センサを持ち、それぞれでデフォーカス量を別々に算出することができる。縦目センサにおける縦方向、横目センサにおける横方向が、相関方向である。基準焦点検出領域８０２は、被写体像内に存在する焦点検出領域であり、第１の被写体領域６０１および第２の被写体領域６０２の設定において基準とする焦点検出領域である。本実施形態における被写体像は机上に置いた直方体ブロックである。直方体ブロックの側面８０３は基準焦点検出領域８０２を含む平面被写体に相当し、机上面８０４は奥行き被写体に相当する。
【０１６３】
図２３は、第６の実施形態における、被写体像から第１の被写体領域６０１および第２の被写体領域６０２を設定するシーケンスを示すフローチャートである。これは、図８に示されたキャリブレーション撮影シーケンスのフローチャートのうち、ステップＳ４０１からステップＳ４２１を代替するものである。このフローチャートにおける各処理はシステムコントローラ２２３がカメラ情報メモリ２２２に格納されたプログラムを実行することにより実現される。なお、後述する各サブシーケンスについても同様である。
【０１６４】
ステップＳ６０１では、装着されている撮影レンズ１００に対応するＡＦ補正量がカメラ情報メモリ２２２に記憶されているか否かを確認する。ステップＳ６０２では、ＡＦユニット２０４により基準焦点検出領域８０２の焦点検出を行う。
【０１６５】
ステップＳ６０３では、焦点検出結果（デフォーカス量）からフォーカスレンズ１０１を駆動させる量を決定する。通常撮影シーケンスとは異なり、レンズ駆動量を算出する際にＡＦ補正量が記憶されていたとしても、これを使用しない。これは、ＡＦキャリブレーションモードはＡＦ補正量を設定するためのモードであるからである。
【０１６６】
ステップＳ６０４では、決定されたレンズ駆動量をレンズ制御回路１０４に送信し、レンズ制御回路１０４は受信したレンズ駆動量のデータを、レンズ駆動機構１０３のステッピングモータに与える駆動パルス数に換算する。これに基づいてステッピングモータを駆動させ、フォーカスレンズ１０１を移動させる。
【０１６７】
ステップＳ６０５では、ＡＦユニット２０４により焦点検出を行う。ここでは基準焦点検出領域８０２を含む全ての焦点検出領域８０１について焦点検出を行い、全ての焦点検出領域において縦目センサによるデフォーカス量と横目センサによるデフォーカス量を取得する。後述するように、本実施形態ではこれらに基づいて第１の被写体領域６０１と第２の被写体領域６０２を設定する。このように、本実施形態では、被写体領域の設定についても同じ光路・ＡＦ瞳を持つＡＦユニット２０４の焦点検出結果に基づいて行うことで、撮像面位相差ＡＦ等の他のＡＦ結果から領域を設定するよりも高精度な被写体領域の設定が可能である。
【０１６８】
ステップＳ６０６では、焦点検出された全ての焦点検出領域８０１について、縦目センサによるデフォーカス量を読み出す。ステップＳ６０７では、各焦点検出領域８０１の縦目デフォーカス量と基準焦点検出領域８０２のデフォーカス量の差分を算出する。ステップＳ６０８では、焦点検出された全ての焦点検出領域８０１について、横目センサによるデフォーカス量を読み出す。ステップＳ６０９では、各焦点検出領域８０１の横目デフォーカス量と基準焦点検出領域８０２のデフォーカス量の差分を算出する。
【０１６９】
ステップＳ６１０では、ＡＦユニット２０４によって算出されたデフォーカス量に基づいて、第１の被写体領域６０１を設定する。これにより、ユーザーは予め表示された第１の被写体領域６０１に対して構図を調整するといった手間を省くことができる。また、基準焦点検出領域８０２の近傍が、焦点検出する範囲内に輝度差がなく焦点検出ばらつきが大きい焦点検出に不適切な被写体である場合、第１の被写体領域６０１が適切に設定できないことで、ユーザーに注意を喚起することが可能である。設定のシーケンスについては、後述する。
【０１７０】
ステップＳ６１１では、ＡＦユニット２０４によって算出されたデフォーカス量に基づいて、第２の被写体領域６０２を設定する。これにより、ユーザーは予め表示された第２の被写体領域６０２に対して構図を調整するといった手間を省くことができる。設定のシーケンスについては、後述する。
【０１７１】
ステップＳ６１２では、表示装置に第１の被写体領域６０１と第２の被写体領域６０２を表示する。ここで、表示装置はファインダー内情報表示装置２０８であり、各被写体領域は光学ファインダーを通じてユーザーに視認される。後述のように、ステップＳ６１０およびステップＳ６１１における被写体領域の設定においては、適切に領域境界が設定できないことが考えられる。その場合、例として、適切に設定できた領域境界は点灯、適切に設定できなかった境界領域は点滅で表示する等、表示を異ならせてもよい。それにより、ユーザーは領域の設定が適切にできた境界と適切にできなかった境界を視認し、後述のステップＳ６１３における被写体領域の判定の際に参考にすることができる。
【０１７２】
ステップＳ６１３では、第１の被写体領域６０１および第２の被写体領域６０２の領域設定が適切であるか否かを判定する。即ち、表示された第１の被写体領域６０１内に焦点検出に適した平面被写体があり、表示された第２の被写体領域６０２内に合焦画像の選択に適した奥行のある被写体があるかをユーザーが判断する。その結果、両者ともに適切であれば本シーケンスを終了し、図８のステップＳ４２４に相当するレリーズを行う。一方で、不適切な設定がされていればステップＳ６１４に移行する。
【０１７３】
ステップＳ６１４では、ユーザーが被写体領域の調整を行う。ここで被写体領域の調整については、方向ボタンの操作によって領域の境界を移動する等の操作が考えられる。領域設定を適切にした後、本シーケンスを終了し、図８のステップＳ４２４に相当するレリーズを行う。以降のフローは図８と同一であり、フォーカスブラケット撮影を行って、キャリブレーション撮影シーケンスを終了する。
【０１７４】
図２４は、第６の実施形態における焦点検出領域８０１の概略図と、基準焦点検出領域８０２のデフォーカス量との差分を例示する図である。図２４（ａ）は、焦点検出領域８０１が縦目センサと横目センサを持つことを模式的に示す概略図である。図２４（ｂ）は、各焦点検出領域の縦目センサのデフォーカス量と、基準焦点検出領域８０２のデフォーカス量の差分を例示する図である。これは、ステップＳ６０７におけるデフォーカス量の差分の算出結果に相当する。図２４（ｃ）は、各焦点検出領域の横目センサのデフォーカス量と、基準焦点検出領域８０２のデフォーカス量の差分を例示する図である。これは、ステップＳ６０９におけるデフォーカス量の差分の算出結果に相当する。
【０１７５】
図２５は、第６の実施形態における第１の被写体領域６０１の設定を例示する図である。図２６は、第６の実施形態における第２の被写体領域６０２の設定を例示する図である。以下では、これらの図を参照しながら、被写体領域の設定方法について説明する。
【０１７６】
図２７は、第６の実施形態における第１の被写体領域６０１を設定するシーケンスを示すフローチャートである。
【０１７７】
ステップＳ７０１では、第１の被写体領域６０１に関する閾値を読み込む。基準焦点検出領域８０２と各焦点検出領域のデフォーカス量の差分がこの閾値内のとき、その焦点検出領域のデフォーカス量は基準焦点検出領域８０２に対して検出誤差等の焦点検出ばらつきの範囲内であり、基準焦点検出領域８０２とこの焦点検出領域の焦点検出被写体は同一平面上にあると判断する。読み込まれた閾値はカメラ情報メモリ２２２に一時的に記憶され、本シーケンス終了まで保持される。
【０１７８】
ステップＳ７０２では、ステップＳ６０７で算出した縦目の差分が閾値内である境界を抽出する。即ち、基準焦点検出領域８０２から同一平面内である範囲の境界を抽出する。図２５（ａ）に、閾値を±１として境界を抽出した例を示す。このとき、差分が±１以内である点とそれ以外の点の境界として、境界線９０１が抽出される。
【０１７９】
ステップＳ７０３では、抽出された境界が適切か否かをシステムコントローラ２２３が判断する。境界の抽出が適切であればステップＳ７０４に移行し、不適切であればステップＳ７０５に移行する。境界の抽出が不適切である例として、基準焦点検出領域８０２に隣接する焦点検出領域が閾値をはずれている等、該当する境界が狭い場合が考えられる。
【０１８０】
ステップＳ７０４では、抽出された境界を横方向の境界として設定する。即ち、第１の被写体領域６０１を、基準焦点検出領域８０２のデフォーカス量に対して所定範囲内の領域として、デフォーカス量算出の相関方向（縦方向）に対して略直交する方向（横方向）の領域端（境界）を設定する。設定された境界はカメラ情報メモリ２２２に一時的に記憶され、図２３に示す被写体像から第１の被写体領域６０１および第２の被写体領域６０２を設定するキャリブレーション撮影シーケンスが終了するまで保持される。図２５（ａ）の境界線９０１において、実線で示したものが横方向に設定される境界である。
【０１８１】
この境界の意義について説明する。第１の被写体領域６０１の境界部では、境界内は平面被写体の一部であるのに対し、境界外は平面被写体から外れた背景等であることが想定され、境界の近傍で被写体距離が急激に変化していることが予想される。そのような境界内外に渡る領域で焦点検出することは、所謂遠近競合被写体を焦点検出することとなり、焦点検出精度が低下する恐れがある。図２５（ａ）の例では、焦点検出領域８０１１および８０１２において、遠近競合被写体が縦目センサの焦点検出視野に入っているため焦点検出結果がばらつく。そして、実際には側面８０３上ではないにもかかわらず、境界線９０１内部と認識されている。そこで、上記のように相関方向と領域の境界を設定する方向を略直交させることで、焦点検出領域が境界の内外に渡ることを避けることができる。そのため、境界設定におけるデフォーカス量の算出の精度を向上させることができる。これは以下のステップＳ７０８においても同様であり、縦方向の領域端については横目の検出結果をもって設定し、これらを統合して、後述するステップＳ７１０において第１の被写体領域６０１を設定する。
【０１８２】
一方、ステップＳ７０５では、第１の被写体領域の横方向の境界について、境界設定が不適切であるという情報がカメラ情報メモリ２２２に一時的に記憶される。そして、図２３に示す被写体像から第１の被写体領域６０１および第２の被写体領域６０２を設定するキャリブレーション撮影シーケンスが終了するまで保持される。
【０１８３】
ステップＳ７０６では、ステップＳ６０９で算出した横目の差分が閾値内である境界を抽出する。即ち、基準焦点検出領域８０２と同一平面内である範囲の境界を抽出する。図２５（ｂ）に、閾値を±１として境界を抽出した例を示す。このとき、差分が±１以内である点とそれ以外の点の境界として、境界線９０２が抽出される。
【０１８４】
ステップＳ７０７では、抽出された境界が適切か否かをシステムコントローラ２２３が判断する。境界の抽出が適切であればステップＳ７０８に移行し、不適切であればステップＳ７０９に移行する。境界の抽出が不適切である例として、基準焦点検出領域８０２に隣接する焦点検出領域が閾値をはずれている等、該当する境界が狭い場合が考えられる。
【０１８５】
ステップＳ７０８では、抽出された境界を縦方向の境界として設定する。即ち、第１の被写体領域６０１を、基準焦点検出領域８０２のデフォーカス量に対して所定範囲内の領域として、デフォーカス量算出の相関方向（横方向）に対して略直交する方向（縦方向）の領域端（境界）を設定する。設定された境界はカメラ情報メモリ２２２に一時的に記憶され、図２３に示す被写体像から第１の被写体領域６０１および第２の被写体領域６０２を設定するキャリブレーション撮影シーケンスが終了するまで保持される。図２５（ｂ）の境界線９０２において、実線で示したものが縦方向に設定される境界である。図２５（ｂ）の例では、焦点検出領域８０１３および８０１４において、遠近競合被写体が横目センサの焦点検出視野に入っているため焦点検出結果がばらつく。そして、実際には側面８０３上ではないにもかかわらず、境界線９０２内部と認識されている。
【０１８６】
ステップＳ７０９では、第１の被写体領域の縦方向の境界について、境界設定が不適切であるという情報がカメラ情報メモリ２２２に一時的に記憶される。そして、図２３に示す被写体像から第１の被写体領域６０１および第２の被写体領域６０２を設定するキャリブレーション撮影シーケンスが終了するまで保持される。
【０１８７】
ステップＳ７１０では、ステップＳ７０４およびステップＳ７０８で設定・記憶した縦横それぞれの方向の境界を統合し、第１の被写体領域６０１を設定する。図２５（ｃ）に、第１の被写体領域６０１を示す。斜線部が、縦横の境界を統合し設定した第１の被写体領域６０１である。この統合により、横方向の領域端を縦目の検出結果から、縦方向の領域端を横目の検出結果から設定することで、焦点検出領域８０１１，８０１２，８０１３，８０１４は第１の被写体領域６０１から適切に除外される。なおこのとき、先のステップＳ７０５およびＳ７０９において境界設定が不適切として記憶されている境界や、適切な接続ができない境界についてはその情報を記憶する。以上で第１の被写体領域６０１の設定のフローを終了する。
【０１８８】
以上のフローで設定された第１の被写体領域６０１は、図２３のキャリブレーション撮影シーケンスのステップＳ６１２において表示装置に表示される。なおこのとき、先のステップＳ７０５およびＳ７０９において境界設定が不適切として記憶されている境界については、表示を異ならせてもよい。例として、適切に設定できた領域境界は点灯表示し、適切に設定できなかった領域境界は点滅で表示する等の方法が考えられる。
【０１８９】
図２８は、第６の実施形態における第２の被写体領域６０２を設定するシーケンスのフローチャートである。
【０１９０】
ステップＳ８０１では、第２の被写体領域６０２に関する閾値を読み込む。ここで読み込まれる閾値は、基準焦点検出領域８０２のデフォーカス量に対して近側から遠側に分布する領域を設定する閾値と、近側から遠側の所定範囲に渡ってデフォーカス量が略均等に分布する領域を設定する閾値である。この意味について説明する。第２の被写体領域６０２として設定する領域のデフォーカス量が閾値を超えて前後に分布するとき、第２の被写体領域６０２内の被写体は十分な奥行きを持っている。また近側から遠側に渡って略均等にデフォーカス量が分布するとき、第２の被写体領域内の被写体は略均等に前後に分布している。それにより、合焦位置が視認しやすく、合焦画像の判定をするのに好適な被写体であると判断できる。読み込まれた閾値はカメラ情報メモリ２２２に一時的に記憶され、本シーケンス終了まで保持される。
【０１９１】
ステップＳ８０２では、ステップＳ６０７で算出した縦目の差分について、横方向に近側から遠側に分布する境界を抽出する。なお、近側についての閾値と遠側についての閾値は異なる値でもよい。図２６（ａ）に、近側の閾値を−５、遠側の閾値を＋７として境界を抽出する例を示す。ここで、破線で囲った各行について、デフォーカス量が−５から＋７にかけて分布している領域はない。つまりこの例では、縦目による横方向の境界抽出については、適切な境界は設定できない。
【０１９２】
ステップＳ８０３では、抽出された境界が適切か否かを判断する。境界の抽出が適切であればステップＳ８０４に移行し、不適切であればステップＳ８０６に移行する。境界の抽出が不適切である例として、基準焦点検出領域８０２に対して十分離れた焦点検出領域がない等、該当する境界が設定できない場合が考えられる。
【０１９３】
ステップＳ８０４では、横方向の境界の間の焦点検出領域について、隣接する焦点検出領域のデフォーカス量の差分が所定の範囲内か否かを判定する。
【０１９４】
ステップＳ８０５では、抽出された境界を横方向に奥行きのある被写体領域の境界として設定する。即ち、これまでのステップＳ８０２、Ｓ８０４と併せて、第２の被写体領域６０２を以下のように設定する。第２の被写体領域６０２を、基準焦点検出領域８０２のデフォーカス量に対して、近側から遠側に分布する領域として設定する。これにより、第２の被写体領域６０２内の被写体が、合焦画像の判定をするのに十分な奥行きを持っていることが確認される。また、第２の被写体領域６０２を、基準焦点検出領域８０２のデフォーカス量に対して、近側から遠側へ略均等に分布する領域として設定する。これにより、ブラケット撮影画像において合焦画像を判定する際に、画像ごとの合焦位置の変化が視認しやすくなる。またデフォーカス量算出の相関方向（縦方向）に対して、略直交方向（横方向）の領域端を設定する。本実施形態において、第２の被写体領域６０２は、奥行きのある被写体が配設された領域として設定される。この領域の一端から他端にかけて被写体が奥行きを持っているとき、当該奥行き方向と相関方向が一致していると、所謂遠近競合被写体を焦点検出することとなり、焦点検出精度が低下する恐れがある。そこでこのように、相関方向と領域の境界を設定する方向を略直交させることで、境界設定の精度を向上させることができる。これは、以下のステップＳ８１２においても同様である。設定された境界はカメラ情報メモリ２２２に一時的に記憶され、図２３に示す被写体像から第１の被写体領域６０１および第２の被写体領域６０２を設定するキャリブレーション撮影シーケンスが終了するまで保持される。
【０１９５】
ステップＳ８０６では、第２の被写体領域６０２の横方向の境界について、境界設定が不適切であることがカメラ情報メモリ２２２に一時的に記憶され、図２３に示す被写体像から第１の被写体領域６０１および第２の被写体領域６０２を設定するキャリブレーション撮影シーケンスが終了するまで保持される。
【０１９６】
ステップＳ８０７では、ステップＳ６０９で算出した横目の差分について、縦方向に近側から遠側に分布する領域を抽出する。なお、近側についての閾値と遠側についての閾値は異なる値でもよい。図２６（ｂ）に、近側の閾値を−５、遠側の閾値を＋７として境界を抽出する例を示す。ここで、実線で囲った列については、縦方向にデフォーカス量が分布している。一方で、破線で囲った列については、デフォーカス量が−５から＋７にかけて分布している領域はない。
【０１９７】
ステップＳ８０８では、抽出された境界が適切か否かを判断する。境界の抽出が適切であればステップＳ８０９に移行し、不適切であればステップＳ８１１に移行する。境界の抽出が不適切である例として、基準焦点検出領域８０２に対して十分離れた焦点検出領域がない等、該当する境界が設定できない場合が考えられる。
【０１９８】
ステップＳ８０９では、縦方向の境界の間の焦点検出領域について、隣接する焦点検出領域のデフォーカス量の差分が所定の範囲内か否かを判定する。図２６（ｂ）について、差分の範囲を４±１として判定する例を示す。列９０３１、９０３３、９０３４においては、隣接するデフォーカス量の差分はすべて４±１に入っている。よって適切と判定する。一方で、列９０３２においては、隣接するデフォーカス量の差分が０、１といった焦点検出領域があり、不適切と判定する。
【０１９９】
ステップＳ８１０では、抽出された境界を縦方向に奥行きのある被写体領域の境界として設定する。即ち、これまでのステップＳ８０７、Ｓ８０９と併せて、第２の被写体領域６０２を以下のように設定する。第２の被写体領域６０２を、基準焦点検出領域８０２のデフォーカス量に対して、近側から遠側に分布する領域として設定する。これにより、第２の被写体領域６０２内の被写体が、合焦画像の判定をするのに十分な奥行きを持っていることが確認される。また、第２の被写体領域６０２を、基準焦点検出領域８０２のデフォーカス量に対して、近側から遠側へ略均等に分布する領域として設定する。これにより、ブラケット撮影画像において合焦画像を判定する際に、画像ごとの合焦位置の変化が視認しやすくなる。またデフォーカス量算出の相関方向（横方向）に対して、略直交方向（縦方向）の領域端を設定する。これにより、前述のステップＳ８０６と同様に、境界設定の精度を向上させることができる。ここで設定上の処理として、例えば図２６（ｂ）に示すように領域が分割されている場合には、奥行き方向に対して幅の広い方や、第１の被写体領域に近い方を選択するといった処理が考えられる。設定された境界はカメラ情報メモリ２２２に一時的に記憶され、図２３に示す被写体像から第１の被写体領域６０１および第２の被写体領域６０２を設定するキャリブレーション撮影シーケンスが終了するまで保持される。
【０２００】
ステップＳ８１１では、第２の被写体領域６０２の縦方向の境界について、境界設定が不適切であることがカメラ情報メモリ２２２に一時的に記憶され、図２３に示す被写体像から第１の被写体領域６０１および第２の被写体領域６０２を設定するキャリブレーション撮影シーケンスが終了するまで保持される。
【０２０１】
ステップＳ８１２では、ステップＳ８０５で設定した横方向に奥行きのある被写体領域の境界もしくはステップＳ８１０で設定した縦方向に奥行きのある被写体領域の境界について、どちらを第２の被写体領域６０２として設定するかを選択する。選択の基準としては、奥行き方向に対して幅の広い方や、範囲方向のデフォーカス量の変化量が均一である方といった判断基準が考えられる。図２６（ｃ）に、第２の被写体領域６０２を示す。斜線部が、縦方向に奥行きのある被写体領域として選択した第２の被写体領域６０２である。本実施形態では、この領域の設定において、列９０３５の上端を列９０３３および列９０３４と揃え、領域を矩形とすることで表示を簡便にしているが、実施の形態はそれに限られるものではない。以上で、第２の被写体領域６０２の設定のフローを終了する。
【０２０２】
以上のように、第６の実施形態の構成では、ＡＦキャリブレーションモードにおいて、ＡＦユニット２０４によって算出されたデフォーカス量に基づいて、第１の被写体領域６０１および第２の被写体領域６０２の設定を行う。これにより、ユーザーが被写体領域に対して構図を調整するといった手間を省くことができる。また第１の被写体領域６０１の設定においては、基準焦点検出領域８０２のデフォーカス量に対して差分の小さい範囲を設定する。これにより、第１の被写体領域６０１は焦点検出に好適な平面被写体の存在する領域として設定される。また第１の被写体領域６０１の境界の設定においては、境界の設定方向と相関方向を直交させる。これにより、境界部の焦点検出において遠近競合被写体の焦点検出を避け、焦点検出誤差を低減して領域を設定することが可能となる。さらに、第２の被写体領域６０２の設定においては、基準焦点検出領域８０２のデフォーカス量に対してデフォーカス量が前後に分布し、かつその間の変化量のばらつきが小さい領域を設定する。これにより、第２の被写体領域６０２は合焦画像の選択に好適な奥行き被写体の存在する領域として設定される。また第２の被写体領域６０２の境界の設定においては、境界の設定方向と相関方向を直交させる。これにより、相関方向に奥行きがあることでの遠近競合被写体の焦点検出を避け、焦点検出誤差を低減して領域を設定することが可能となる。
【０２０３】
（第７の実施形態）
以下、本発明の第７の実施形態について説明する。なお、第７の実施形態における撮像装置の構成は、特に断りが無い限り第１の実施形態の構成と同様である。そのため、共通する構成要素、動作のフローチャート等の説明は省略する。
【０２０４】
第６の実施形態のステップＳ６０５においてはＡＦユニット２０４によって被写体領域の設定のための焦点検出を行うものとした。しかし、第７の実施形態においては第１の実施形態に記載の二次結像位相差方式によるＡＦユニット２０４ではなく、撮像面位相差ＡＦ方式によって被写体領域の設定のための焦点検出を行う。一般に、ユニット内に導光される領域に焦点検出領域が限定される二次結像位相差ＡＦ方式に比べ、撮像素子で行う撮像面位相差ＡＦ方式のほうが焦点検出範囲は広い。そのため、構図に自由度が増し、より多くのシーンで被写体領域の設定が可能となる。また、撮像面位相差ＡＦ方式ではミラーアップ状態で焦点検出が出来るため、第６の実施形態のステップＳ６１４で説明したような領域の調整においても、背面液晶を確認しながらの調整が可能で、ユーザーの操作性が向上する。
【０２０５】
図２９は、第７の実施形態のカメラ２００における被写体像から第１の被写体領域６０１および第２の被写体領域６０２を設定するシーケンスのフローチャートである。これは、図８に示されたキャリブレーション撮影シーケンスのフローチャートのうち、ステップＳ４０１からステップＳ４２１を代替するものである。このフローチャートにおける各処理はシステムコントローラ２２３がカメラ情報メモリ２２２に格納されたプログラムを実行することにより実現される。なお、後述する各サブシーケンスについても同様である。
【０２０６】
ここで、撮像面位相差ＡＦを行う撮像素子２１０の構成について説明する。図３０は、第７の実施形態における撮像素子２１０内に複数配設される焦点検出画素の基本構造について説明する図である。撮像素子２１０には、複数の焦点検出画素が配置されており、これらの焦点検出画素を複数用いることによって焦点検出を行う。
【０２０７】
焦点検出画素はマイクロレンズ３０１の下に配線層３０２を有し、配線層３０２の下には受光した光を電気信号に変換する光電変換部３０３ａ，３０３ｂを有する。光束３０４ａは、光電変換部３０３ａが受光する光束であり、光束３０４ｂは、光電変換部３０３ｂが受光する光束である。図３０に示すように、光電変換部３０３ａと光電変換部３０３ｂは、レンズの射出瞳において異なった場所（ＡＦ瞳）を通過した光束を受光している。撮像素子内には、ＡＦ瞳が一致する複数の焦点検出画素が配置されており、それら焦点検出画素が受光する光束３０４ａと光束３０４ｂの二像の電気信号について相関演算を行い二像の位相差を算出する。そして、これからデフォーカス量を得ることができる。ここでのＡＦ瞳の分割方向を、ＡＦユニット２０４での焦点検出のときと同じく、相関方向と呼ぶ。画角を縦方向に分割する焦点検出画素群を縦目センサ、横方向に分割する焦点検出画素群を横目センサと呼ぶ。
【０２０８】
ステップＳ９０１では、装着されている撮影レンズ１００に対応するＡＦ補正量がカメラ情報メモリ２２２に記憶されているか否かを確認する。ステップＳ９０２では、ＡＦユニット２０４により基準焦点検出領域８０２の焦点検出を行う。
【０２０９】
ステップＳ９０３では、焦点検出結果（デフォーカス量）からフォーカスレンズ１０１を駆動させる量を決定する。通常撮影シーケンスとは異なり、レンズ駆動量を算出する際にＡＦ補正量が記憶されていたとしても、これを使用しない。これは、ＡＦキャリブレーションモードはＡＦ補正量を設定するためのモードであるからである。
【０２１０】
ステップＳ９０４では、決定されたレンズ駆動量をレンズ制御回路１０４に送信し、レンズ制御回路１０４は受信したレンズ駆動量のデータを、レンズ駆動機構１０３のステッピングモータに与える駆動パルス数に換算する。これに基づいてステッピングモータを駆動させ、フォーカスレンズ１０１を移動させる。
【０２１１】
ステップＳ９０５では、クイックリターンミラー２０２のアップ駆動を行う。ステップＳ９０６では、撮像素子の焦点検出画素の出力から、撮像面位相差ＡＦを行う。ここでは焦点検出可能な全ての焦点検出領域について焦点検出を行う。即ち、全ての焦点検出領域において縦目センサによるデフォーカス量と横目センサによるデフォーカス量を取得する。
【０２１２】
ステップＳ９０７では、焦点検出された全ての焦点検出領域８０１について、縦目センサによるデフォーカス量を読み出す。ステップＳ９０８では、各焦点検出領域８０１の縦目デフォーカス量と基準焦点検出領域８０２のデフォーカス量の差分を算出する。ステップＳ９０９では、焦点検出された全ての焦点検出領域８０１について、横目センサによるデフォーカス量を読み出す。ステップＳ９１０では、各焦点検出領域８０１の横目デフォーカス量と基準焦点検出領域８０２のデフォーカス量の差分を算出する。
【０２１３】
ステップＳ９１１では、撮像面位相差ＡＦによって算出されたデフォーカス量に基づいて、第１の被写体領域６０１を設定する。設定のシーケンスは、第６の実施形態の図２７を用いて説明したとおりである。
【０２１４】
ステップＳ９１２では、撮像面位相差ＡＦによって算出されたデフォーカス量に基づいて、第２の被写体領域６０２を設定する。設定のシーケンスは、第６の実施形態の図２８を用いて説明したとおりである。
【０２１５】
ステップＳ９１３では、表示装置に第１の被写体領域６０１と第２の被写体領域６０２を表示する。ここで、表示に用いられる表示装置は表示装置２１３であり、本実施形態においては、カラー表示可能な液晶パネル、バックライト、およびそれらを駆動するための表示制御回路を含むユニットである。 前述のように、ステップＳ９１１およびステップＳ９１２における被写体領域の設定において、適切に領域境界が設定できないことが考えられる。その場合、例として、適切に設定できた領域境界は点灯、適切に設定できなかった領域境界は点滅で表示する等、表示を異ならせてもよい。それにより、ユーザーは撮像装置が適切に領域の設定ができた境界と、適切に設定できなかった境界を視認し、後述するステップＳ９１５における被写体領域の判定の際に参考にすることができる。
【０２１６】
ステップＳ９１４では、第１の被写体領域６０１および第２の被写体領域６０２の領域設定が適切であるか否かを判定する。即ち、表示された第１の被写体領域６０１内に焦点検出に適した平面被写体があり、表示された第２の被写体領域６０２内に合焦画像の選択に適した奥行きのある被写体があるかをユーザーが判断する。その結果、両者ともに適切であれば本シーケンスを終了し、図８のステップＳ４２４に相当するレリーズを行う。一方で、不適切な設定がされていれば、ステップＳ９１５に移行する。
【０２１７】
ステップＳ９１５では、ユーザーが被写体領域の調整を行う。ここで被写体領域の調整については、方向ボタンの操作によって領域の境界を移動する等の操作が考えられる。領域設定を適切にした後、本シーケンスを終了し、図８のステップＳ４２４に相当するレリーズを行う。以降のフローは図８と同一である。
【０２１８】
以上のように、第７の実施形態の構成では、ＡＦキャリブレーションモードにおいて、撮像面位相差ＡＦによって算出されたデフォーカス量に基づいて、第１の被写体領域６０１および第２の被写体領域６０２の設定を行う。これにより、より多くのシーンで被写体領域の設定が可能となる。また被写体領域の調整時にも、背面液晶を確認しながら調整が可能で、ユーザーの操作性が向上する。
【０２１９】
以上、本発明の好ましい実施形態について説明したが、本発明はこれらの実施形態に限定されず、その要旨の範囲内で種々の変形及び変更が可能である。
【０２２０】
（他の実施形態）
また本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現できる。また、１以上の機能を実現する回路（例えば、ＡＳＩＣ）によっても実現できる。
【符号の説明】
【０２２１】
１００：撮影レンズ、２００：カメラ、２０４：ＡＦユニット、２１０：撮像素子、２２２：カメラ情報メモリ、２２３：システムコントローラ、６０１：第１の被写体領域、６０２：第２の被写体領域
【図１】
2019139017.tif 000003
【図２】
2019139017.tif 000004
【図３】
2019139017.tif 000005
【図４】
2019139017.tif 000006
【図５】
2019139017.tif 000007
【図６】
2019139017.tif 000008
【図７】
2019139017.tif 000009
【図８】
2019139017.tif 000010
【図９】
2019139017.tif 000011
【図１０】
2019139017.tif 000012
【図１１】
2019139017.tif 000013
【図１２】
2019139017.tif 000014
【図１３Ａ】
2019139017.tif 000015
【図１３Ｂ】
2019139017.tif 000016
【図１４】
2019139017.tif 000017
【図１５】
2019139017.tif 000018
【図１６】
2019139017.tif 000019
【図１７】
2019139017.tif 000020
【図１８】
2019139017.tif 000021
【図１９】
2019139017.tif 000022
【図２０】
2019139017.tif 000023
【図２１】
2019139017.tif 000024
【図２２】
2019139017.tif 000025
【図２３】
2019139017.tif 000026
【図２４】
2019139017.tif 000027
【図２５】
2019139017.tif 000028
【図２６】
2019139017.tif 000029
【図２７】
2019139017.tif 000030
【図２８】
2019139017.tif 000031
【図２９】
2019139017.tif 000032
【図３０】
2019139017.tif 000033